(57)【要約】バースト送信のための方法および装置が提供される。ワイヤレス送信／受信ユニット（ＷＴＲＵ）は周期的サーチスペース（Ｐ−ＳＳ）および半永続的サーチスペース（ＳＰ−ＳＳ）のための構成情報を受信するように構成される。構成情報はＰ−ＳＳの監視周期性とＳＰ−ＳＳの監視周期性とを含み得る。Ｐ−ＳＳはＳＰ−ＳＳに関連付けられ得る。ＷＴＲＵはＰ−ＳＳの周期性を用いてＰ−ＳＳを監視するように構成される。ＷＴＲＵはＰ−ＳＳのスロットにおいて第１の物理ダウンリンク共有チャネル（ＰＤＣＣＨ）における第１のメッセージを受信するように構成される。第１のメッセージは、関連付けられたＳＰ−ＳＳのアクティブ化を示し得る。ＷＴＲＵは、ＳＰ−ＳＳの周期性を使用してＳＰ−ＳＳを監視するように構成される。ＷＴＲＵはＳＰ−ＳＳのスロットにおいて第２のＰＤＣＣＨにおける第２のメッセージを受信するように構成される。
2022500962.tif 000002
【特許請求の範囲】
【請求項１】
ワイヤレス送信／受信ユニット（ＷＴＲＵ）によって実装される方法であって、
周期的サーチスペース（Ｐ−ＳＳ）および半永続的サーチスペース（ＳＰ−ＳＳ）のための構成情報を受信するステップであって、前記構成情報は、前記Ｐ−ＳＳの監視周期性と前記ＳＰ−ＳＳの監視周期性とを含み、前記Ｐ−ＳＳは、前記ＳＰ−ＳＳに関連付けられる、ステップと、
前記Ｐ−ＳＳの前記周期性を使って前記Ｐ−ＳＳを監視するステップと、
前記Ｐ−ＳＳのスロットにおいて第１の物理ダウンリンク制御チャネル（ＰＤＣＣＨ）における第１のメッセージを受信するステップであって、前記第１のメッセージは、前記関連付けられたＳＰ−ＳＳのアクティブ化を示す、ステップと、
前記ＳＰ−ＳＳの前記周期性を使用して前記ＳＰ−ＳＳを監視するステップと、
前記ＳＰ−ＳＳのスロットにおいて第２のＰＤＣＣＨにおける第２のメッセージを受信するステップと
を備える方法。
【請求項２】
前記第１のＰＤＣＣＨにおける前記第１のメッセージまたは前記第２のＰＤＣＣＨにおける前記第２のメッセージに基づいて物理ダウンリンク共有チャネル（ＰＤＳＣＨ）におけるメッセージを受信するステップをさらに備えることを特徴とする請求項１に記載の方法。
【請求項３】
前記監視周期性は、タイムスロット繰り返しを示すことを特徴とする請求項１に記載の方法。
【請求項４】
前記構成情報は、ｇＮＢから受信されることを特徴とする請求項１に記載の方法。
【請求項５】
前記構成情報は、監視オフセットをさらに含むことを特徴とする請求項１に記載の方法。
【請求項６】
前記構成情報は、シンボルパターンを含む監視パターンをさらに含むことを特徴とする請求項１に記載の方法。
【請求項７】
ＳＰ−ＳＳをサポートする能力の表示を送るステップをさらに備えることを特徴とする請求項１に記載の方法。
【請求項８】
前記Ｐ−ＳＳの前記監視周期性は、前記ＳＰ−ＳＳの前記監視周期性よりも大きいことを特徴とする請求項１に記載の方法。
【請求項９】
ＳＰ−ＳＳ非アクティブ化決定に基づいて前記ＳＰ−ＳＳを監視することを停止するステップと、
前記Ｐ−ＳＳの前記周期性を使って前記Ｐ−ＳＳにおいて監視するステップと、
前記Ｐ−ＳＳの更新された周期性を含むメッセージを受信するステップと、
前記更新された周期性を使って前記Ｐ−ＳＳを監視するステップと
をさらに備えることを特徴とする請求項１に記載の方法。
【請求項１０】
ワイヤレス送信／受信ユニット（ＷＴＲＵ）であって、
レシーバーと、
プロセッサーと
を備え、
前記レシーバーは、周期的サーチスペース（Ｐ−ＳＳ）および半永続的サーチスペース（ＳＰ−ＳＳ）のための構成情報を受信するように構成され、前記構成情報は、前記Ｐ−ＳＳの監視周期性と前記ＳＰ−ＳＳの監視周期性とを含み、前記Ｐ−ＳＳは、前記ＳＰ−ＳＳに関連付けられ、
前記プロセッサーは、前記Ｐ−ＳＳの前記周期性を使って前記Ｐ−ＳＳを監視するように構成され、
前記レシーバーは、前記Ｐ−ＳＳのスロットにおいて第１の物理ダウンリンク制御チャネル（ＰＤＣＣＨ）における第１のメッセージを受信するように構成され、前記第１のメッセージは、前記関連付けられたＳＰ−ＳＳのアクティブ化を示し、
前記プロセッサーは、前記ＳＰ−ＳＳの前記周期性を使用して前記ＳＰ−ＳＳを監視するように構成され、
前記レシーバーは、前記ＳＰ−ＳＳのスロットにおいて第２のＰＤＣＣＨにおける第２のメッセージを受信するように構成される
ことを特徴とするＷＴＲＵ。
【請求項１１】
前記レシーバーは、前記第１のＰＤＣＣＨにおける前記第１のメッセージまたは前記第２のＰＤＣＣＨにおける前記第２のメッセージに基づいて物理ダウンリンク共有チャネル（ＰＤＳＣＨ）におけるメッセージを受信するように構成されることを特徴とする請求項１０に記載のＷＴＲＵ。
【請求項１２】
前記監視周期性は、タイムスロット繰り返しを示すことを特徴とする請求項１０に記載のＷＴＲＵ。
【請求項１３】
前記構成情報は、ｇＮＢから受信されることを特徴とする請求項１０に記載のＷＴＲＵ。
【請求項１４】
前記構成情報は、監視オフセットをさらに含むことを特徴とする請求項１０に記載のＷＴＲＵ。
【請求項１５】
前記構成情報は、シンボルパターンを含む監視パターンをさらに含むことを特徴とする請求項１０に記載のＷＴＲＵ。
【請求項１６】
ＳＰ−ＳＳをサポートする能力の表示を送信するように構成されるトランスミッターをさらに備えることを特徴とする請求項１０に記載のＷＴＲＵ。
【請求項１７】
前記Ｐ−ＳＳの前記監視周期性は、前記ＳＰ−ＳＳの前記監視周期性よりも大きいことを特徴とする請求項１０に記載のＷＴＲＵ。
【請求項１８】
前記プロセッサーは、ＳＰ−ＳＳ非アクティブ化決定に基づいて前記ＳＰ−ＳＳを監視することを停止し、前記Ｐ−ＳＳの前記周期性を使って前記Ｐ−ＳＳにおいて監視するように構成され、
前記レシーバーは、メッセージを受信するように構成され、前記メッセージは、前記Ｐ−ＳＳの更新された周期性を含み、
前記プロセッサーは、前記更新された周期性を使って前記Ｐ−ＳＳを監視するように構成される
ことを特徴とする請求項１０に記載のＷＴＲＵ。
【請求項１９】
ワイヤレス送信／受信ユニット（ＷＴＲＵ）であって、
レシーバーと、
プロセッサーと
を備え、
前記レシーバーは、周期性サーチスペース（Ｐ−ＳＳ）において物理ダウンリンク制御チャネル（ＰＤＣＣＨ）における第１のダウンリンク制御情報（ＤＣＩ）を受信するように構成され、前記第１のＤＣＩは、第１の非周期的サーチスペース（Ａ−ＳＳ）のためのスケジューリング構成を示し、
前記プロセッサーは、前記第１のＤＣＩスケジューリング構成に基づいて前記第１のＡ−ＳＳにおいて監視するように構成され、
前記レシーバーは、前記第１のＡ−ＳＳにおいてＰＤＣＣＨにおける第２のＤＣＩを受信するように構成され、前記第２のＤＣＩは、第２のＡ−ＳＳのためのスケジューリング構成を示し、
前記プロセッサーは、前記第２のＤＣＩスケジューリング構成に基づいて前記第２のＡ−ＳＳにおいて監視するように構成される
ことを特徴とするＷＴＲＵ。
【請求項２０】
前記レシーバーは、前記第２のＡ−ＳＳのＰＤＣＣＨにおける第３のＤＣＩを受信するように構成され、前記第３のＤＣＩは、複数のＡ−ＳＳのためのスケジューリング構成を含むことを特徴とする請求項１９に記載のＷＴＲＵ。
【発明の詳細な説明】
【技術分野】
【０００１】
本出願は、バースト送信のための方法および装置に関し、より詳細には、ワイヤレス通信におけるバースト送信のための方法および装置に関する。
【背景技術】
【０００２】
関連出願の相互参照
本出願は、その内容が参照により本明細書に組み込まれている、２０１８年９月２６日に出願した米国特許仮出願第６２／７３６，８７４号明細書の利益を主張する。
【０００３】
ワイヤレス送信／受信ユニット（ＷＴＲＵ）は、物理ダウンリンク制御チャネル（ＰＤＣＣＨ）候補のセットを監視してもよいし、監視するようにＰＤＣＣＨ候補のセットが割り当てられてもよい。ＰＤＣＣＨ候補のセットは、ＰＤＣＣＨのブラインド検出中に監視され得る。サーチスペースまたはサーチスペースのセットは、たとえば、ブラインド検出を用いて監視するために、ＰＤＣＣＨ候補のセットであってもよいし、これを含んでもよい。サーチスペースは、ＷＴＲＵが、頻繁に発生しないデータトラフィックを有するとき、ＷＴＲＵのバッテリ消費量を低下させるように、ＰＤＣＣＨ監視時間を低下させるために、長い周期性を有して構成されることがある。しかしながら、サーチスペースの長い周期性は、バーストデータがバッファに到着するときにＷＴＲＵアクティブ時間を増加させ得、そのことが、物理ダウンリンク共有制御チャネル（ＰＤＳＣＨ）または物理アップリンク共有制御チャネル（ＰＵＳＣＨ）の複数の送信が送信を終えることを必要とし得る。アップリンク送信帯域幅は、ＷＴＲＵカバレッジレベルに基づいてさらに制限されることがあるので、より長いアクティブ時間は、アップリンクバーストトラフィックにとってより著しくなり得る。
【発明の概要】
【０００４】
バースト送信のための方法および装置が提供される。態様では、ワイヤレス送信／受信ユニット（ＷＴＲＵ）は、周期的サーチスペース（Ｐ−ＳＳ）および半永続的サーチスペース（ＳＰ−ＳＳ）のための構成情報を受信するように構成される。構成情報は、Ｐ−ＳＳの監視周期性と、ＳＰ−ＳＳの監視周期性とを含んでよい。Ｐ−ＳＳは、ＳＰ−ＳＳと関連づけられてよい。ＷＴＲＵは、Ｐ−ＳＳの周期性を用いてＰ−ＳＳを監視するように構成される。ＷＴＲＵは、Ｐ−ＳＳの制御チャネル内のメッセージを受信するように構成される。このメッセージは、関連づけられたＳＰ−ＳＳのアクティブ化を示してよい。ＷＴＲＵは、ＳＰ−ＳＳの周期性を使用してＳＰ−ＳＳを監視するように構成される。ＷＴＲＵは、ＳＰ−ＳＳのスロット内の物理ダウンリンク共有チャネル内のメッセージを受信するように構成される。監視周期性は、タイムスロット繰り返しを示し得る。構成情報は、監視オフセットと、監視マッピングとを含んでよい。ＷＴＲＵは、ＳＰ−ＳＳをサポートする能力の表示を送ることがある。ＷＴＲＵは、ＳＰ−ＳＳ非アクティブ化決定に基づいてＳＰ−ＳＳを監視するのを停止するように構成される。ＷＴＲＵは、Ｐ−ＳＳの周期性でＰ−ＳＳ内を監視するように構成される。ＷＴＲＵは、Ｐ−ＳＳの制御チャネル内のメッセージを受信するように構成される。このメッセージは、Ｐ−ＳＳの更新された周期性を含んでよい。ＷＴＲＵは、更新された周期性を用いてＰ−ＳＳを監視するように構成される。
【０００５】
態様では、ＷＴＲＵは、周期的サーチスペース（Ｐ−ＳＳ）内の物理ダウンリンク制御チャネル（ＰＤＣＣＨ）内の第１のダウンリンク制御情報（ＤＣＩ）を受信するように構成される。第１のＤＣＩは、第１の非周期的サーチスペース（Ａ−ＳＳ）のためのスケジューリング構成を示し得る。ＷＴＲＵは、第１のＤＣＩスケジューリング構成に基づいて第１のＡ−ＳＳ内を監視するように構成される。ＷＴＲＵは、第１のＡ−ＳＳ内のＰＤＣＣＨ内の第２のＤＣＩを受信するように構成される。第２のＤＣＩは、第２のＡ−ＳＳのためのスケジューリング構成を示す。ＷＴＲＵは、第２のＤＣＩスケジューリング構成に基づいて第２のＡ−ＳＳ内を監視するように構成される。ＷＴＲＵは、第２のＡ−ＳＳ内のＰＤＣＣＨ内の第３のＤＣＩを受信するように構成される。第３のＤＣＩは、複数のＡ−ＳＳのためのスケジューリング構成を含んでよい。
【０００６】
より詳細な理解は、添付の図面とともに例として与えられる以下の説明から得ることができ、図中の同じ参照番号は同じ要素を示す。
【図面の簡単な説明】
【０００７】
【図１Ａ】１つまたは複数の開示される態様が実装され得る例示的な通信システムを例示するシステム図である。
【図１Ｂ】態様に係る図１Ａに例示される通信システム内で使用され得る例示的なワイヤレス送信／受信ユニット（ＷＴＲＵ）を例示するシステム図である。
【図１Ｃ】態様に係る図１Ａに例示される通信システム内で使用され得る例示的な無線アクセスネットワーク（ＲＡＮ）および例示的なコアネットワーク（ＣＮ）を例示するシステム図である。
【図１Ｄ】態様に係る図１Ａに例示される通信システム内で使用され得るさらなる例示的なＲＡＮおよびさらなる例示的なＣＮを例示するシステム図である。
【図２】間欠的な信号受信（ＤＲＸ）の例を示す図である。
【図３】ＤＲＸ動作とともにウェイクアップ信号（ＷＵＳ）およびゴートゥースリープ（go-to-sleep）（ＧＯＳ）の例を示す図である。
【図４】バーストトラフィックのための長いＷＴＲＵアクティブ時間の例を示す図である。
【図５】長い周期的サーチスペース（Ｐ−ＳＳ）とともにバーストトラフィックのサポートのための半永続的サーチスペース（ＳＰ−ＳＳ）の例を示す図である。
【図６】バーストトラフィックのサポートのための半永続的サーチスペース（ＳＰ−ＳＳ）を使用することの例を示す図である。
【図７】複数の非周期的サーチスペース（Ａ−ＳＳ）をトリガする第１のＤＣＩの例を示す図である。
【図８】単一の非周期的サーチスペース（Ａ−ＳＳ）をトリガするＤＣＩの例を示す図である。
【図９】ＤＣＩが単一の非周期的サーチスペース（Ａ−ＳＳ）をトリガすることの例示的な方法を示す図である。
【図１０】バーストをスケジュールする単一のＤＣＩとともにＰＤＳＣＨバースト送信の例を示す図である。
【図１１】ＰＤＳＣＨバースト送信の例示的な構成を示す図である。
【発明を実施するための形態】
【０００８】
図１Ａは、１つまたは複数の開示される態様が実施され得る例示的な通信システム１００を例示する図である。通信システム１００は、音声、データ、ビデオ、メッセージ、ブロードキャストなどのコンテンツを複数のワイヤレスユーザに提供する多重アクセスシステムであってよい。通信システム１００は、複数のワイヤレスユーザが、ワイヤレス帯域幅を含むシステムリソースの共有を通じてそのようなコンテンツにアクセスすることを可能にし得る。たとえば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、ゼロテールユニークワード離散フーリエ変換拡散ＯＦＤＭ（ＺＴ−ＵＷ−ＤＦＴ−Ｓ−ＯＦＤＭ）、ユニークワードＯＦＤＭ（ＵＷ−ＯＦＤＭ）、リソースブロックフィルタ処理ＯＦＤＭ、フィルタバンクマルチキャリア（ＦＢＭＣ）などの、１つまたは複数のチャネルアクセス方法を用いてよい。
【０００９】
図１Ａに図示されるように、通信システム１００は、ワイヤレス送信／受信ユニット（ＷＴＲＵ）１０２ａ、１０２ｂ、１０２ｃ、１０２ｄと、無線アクセスネットワーク（ＲＡＮ）１０４と、コアネットワーク（ＣＮ）１０６と、公衆交換電話網（ＰＳＴＮ）１０８と、インターネット１１０と、他のネットワーク１１２とを含んでよいが、開示される態様は、任意の数のＷＴＲＵ、基地局、ネットワーク、および／またはネットワーク要素を企図することが諒解されるであろう。ＷＴＲＵ１０２ａ、１０２ｂ、１０２ｃ、１０２ｄの各々は、ワイヤレス環境内で動作および／または通信するように構成された任意のタイプのデバイスであってよい。例として、そのいずれも局（ＳＴＡ）と呼ばれ得るＷＴＲＵ１０２ａ、１０２ｂ、１０２ｃ、１０２ｄは、ワイヤレス信号を送信および／または受信するように構成されてよく、ユーザ機器（ＵＥ）、移動局、固定加入者ユニットまたはモバイル加入者ユニット、サブスクリプションベースのユニット、ページャ、セルラー式電話、携帯情報端末（ＰＤＡ）、スマートフォン、ラップトップ、ネットブック、パーソナルコンピュータ、ワイヤレスセンサ、ホットスポットデバイスまたはＭｉ−Ｆｉデバイス、モノのインターネット（ＩｏＴ）デバイス、腕時計または他のウェアラブル、ヘッドマウントディスプレイ（ＨＭＤ）、車両、ドローン、医療デバイスおよび医療アプリケーション（たとえば、遠隔手術）、産業デバイスおよび産業アプリケーション（たとえば、産業および／または自動化された処理チェーン文脈において動作するロボットおよび／または他のワイヤレスデバイス）、消費者向けエレクトロニクスデバイス、商業および／または産業ワイヤレスネットワーク上で動作するデバイスなどを含んでよい。ＷＴＲＵ１０２ａ、１０２ｂ、１０２ｃ、および１０２ｄのいずれも、互換的にＵＥと呼ばれてよい。
【００１０】
通信システム１００は、基地局１１４ａおよび／または基地局１１４ｂも含んでよい。基地局１１４ａ、１１４ｂの各々は、ＣＮ１０６、インターネット１１０、および／または他のネットワーク１１２などの１つまたは複数の通信ネットワークへのアクセスを容易にするためにＷＴＲＵ１０２ａ、１０２ｂ、１０２ｃ、１０２ｄのうちの少なくとも１つとワイヤレスでインタフェースするように構成された任意のタイプのデバイスであってよい。例として、基地局１１４ａ、１１４ｂは、送受信基地局（ＢＴＳ）、ＮｏｄｅＢ、ｅＮｏｄｅ  Ｂ（ｅＮＢ）、ホームノードＢ、ホームｅＮｏｄｅ  Ｂ、ｇＮｏｄｅ  Ｂ（ｇＮＢ）などの次世代ＮｏｄｅＢ、ｎｅｗ  ｒａｄｉｏ（ＮＲ）ＮｏｄｅＢ、サイトコントローラ、アクセスポイント（ＡＰ）、ワイヤレスルータなどであってよい。基地局１１４ａ、１１４ｂは各々、単一の要素として描かれているが、基地局１１４ａ、１１４ｂが任意の数の相互接続された基地局および／またはネットワーク要素を含んでよいことは諒解されるであろう。
【００１１】
基地局１１４ａはＲＡＮ１０４の一部であってよく、ＲＡＮ１０４は、基地局コントローラ（ＢＳＣ）、無線ネットワークコントローラ（ＲＮＣ）、中継ノードなどの他の基地局および／またはネットワーク要素（図示せず）も含んでよい。基地局１１４ａおよび／または基地局１１４ｂは、１つまたは複数のキャリア周波数上のワイヤレス信号を送信および／または受信するように構成されてよく、これは、セル（図示せず）と呼ばれることがある。これらの周波数は、ライセンススペクトル内、アンライセンススペクトル内、またはライセンススペクトルとアンライセンススペクトルの組み合わせであってよい。セルは、比較的固定されてもよいし経時的に変化してもよい特定の地理的エリアに、ワイヤレスサービスのためのカバレッジを提供し得る。セルは、セルセクタへとさらに分割されてよい。たとえば、基地局１１４ａと関連づけられたセルは、３つのセクタへと分割されてよい。したがって、一態様では、基地局１１４ａは、３つのトランシーバー、すなわち、セルの各セクタに対して１つを含んでよい。態様では、基地局１１４ａは、多入力多出力（ＭＩＭＯ）技術を用いてよく、セルの各セクタに対して複数のトランシーバーを利用してよい。たとえば、ビームフォーミングが、所望の空間的方向で信号を送信および／または受信するために使用されてよい。
【００１２】
基地局１１４ａ、１１４ｂは、エアインタフェース１１６を通じてＷＴＲＵ１０２ａ、１０２ｂ、１０２ｃ、１０２ｄのうちの１つまたは複数と通信してよく、エアインタフェース１１６は、任意の適切なワイヤレス通信リンク（たとえば、無線周波数（ＲＦ）、マイクロ波、センチメートル波、マイクロメートル波、赤外線（ＩＲ）、紫外線（ＵＶ）、可視光など）であってよい。エアインタフェース１１６は、任意の適切な無線アクセス技術（ＲＡＴ）を使用して確立されてよい。
【００１３】
より具体的には、上記で述べられたように、通信システム１００は、多重アクセスシステムであってよく、ＣＤＭＡ、ＴＤＭＡ、ＦＤＭＡ、ＯＦＤＭＡ、ＳＣ−ＦＤＭＡなどの１つまたは複数のチャネルアクセス方式を用いてよい。たとえば、ＲＡＮ１０４内の基地局１１４ａおよびＷＴＲＵ１０２ａ、１０２ｂ、１０２ｃは、広帯域ＣＤＭＡ（ＷＣＤＭＡ）を使用してエアインタフェース１１６を確立してよい、ユニバーサル移動体通信システム（ＵＭＴＳ）地上無線アクセス（ＵＴＲＡ）などの無線技術を実施してよい。ＷＣＤＭＡは、高速パケットアクセス（ＨＳＰＡ）および／または進化型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含み得る。
【００１４】
態様では、基地局１１４ａおよびＷＴＲＵ１０２ａ、１０２ｂ、１０２ｃは、ロングタームエボリューション（ＬＴＥ）および／またはＬＴＥ−Ａｄｖａｎｃｅｄ（ＬＴＥ−Ａ）および／またはＬＴＥ−Ａｄｖａｎｃｅｄ  Ｐｒｏ（ＬＴＥ−Ｐｒｏ）を使用してエアインタフェース１１６を確立してよい、進化型ＵＭＴＳ地上無線アクセス（Ｅ−ＵＴＲＡ）などの無線技術を実施してよい。
【００１５】
態様では、基地局１１４ａおよびＷＴＲＵ１０２ａ、１０２ｂ、１０２ｃは、ＮＲを使用してエアインタフェース１１６を確立してよい、ＮＲ無線アクセスなどの無線技術を実施してよい。
【００１６】
態様では、基地局１１４ａおよびＷＴＲＵ１０２ａ、１０２ｂ、１０２ｃは、複数の無線アクセス技術を実施してよい。たとえば、基地局１１４ａおよびＷＴＲＵ１０２ａ、１０２ｂ、１０２ｃは、たとえば、デュアルコネクティビティ（ＤＣ）原理を使用して、ＬＴＥ無線アクセスとＮＲ無線アクセスを一緒に実施してよい。したがって、ＷＴＲＵ１０２ａ、１０２ｂ、１０２ｃによって利用されるエアインタフェースは、複数のタイプの無線アクセス技術および／または複数のタイプの基地局（たとえば、ｅＮＢおよびｇＮＢ）に／から送られる送信によって特徴づけられてよい。
【００１７】
他の態様では、基地局１１４ａおよびＷＴＲＵ１０２ａ、１０２ｂ、１０２ｃは、ＩＥＥＥ８０２．１１（すなわち、ワイヤレスフィデリティ（ＷｉＦｉ）、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００１Ｘ、ＣＤＭＡ２０００  ＥＶ−ＤＯ、Ｉｎｔｅｒｉｍ  Ｓｔａｎｄａｒｄ２０００（ＩＳ−２０００）、Ｉｎｔｅｒｉｍ  Ｓｔａｎｄａｒｄ９５（ＩＳ−９５）、Ｉｎｔｅｒｉｍ  Ｓｔａｎｄａｒｄ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）などの無線技術を実施してよい。
【００１８】
図１Ａにおける基地局１１４ｂは、たとえば、ワイヤレスルータ、ホームノードＢ、ホームｅＮｏｄｅ  Ｂ、またはアクセスポイントであってよく、事業所、自宅、車両、キャンパス、産業施設、空中回廊（たとえば、ドローンによって使用するための）、道路などの局所的なエリア内のワイヤレスコネクティビティを容易にするために任意の適切なＲＡＴを利用してよい。一態様では、基地局１１４ｂおよびＷＴＲＵ１０２ｃ、１０２ｄは、ワイヤレスローカルエリアネットワーク（ＷＬＡＮ）を確立するために、ＩＥＥＥ８０２．１１などの無線技術を実施してよい。一態様では、基地局１１４ｂおよびＷＴＲＵ１０２ｃ、１０２ｄは、ワイヤレスパーソナルエリアネットワーク（ＷＰＡＮ）を確立するために、ＩＥＥＥ８０２．１５などの無線技術を実施してよい。さらに別の態様では、基地局１１４ｂおよびＷＴＲＵ１０２ｃ、１０２ｄは、セルラーベースのＲＡＴ（たとえば、ＷＣＤＭＡ、ＣＤＭＡ２０００、ＧＳＭ、ＬＴＥ、ＬＴＥ−Ａ、ＬＴＥ−Ｐｒｏ、ＮＲなど）を利用して、ピコセルまたはフェムトセルを確立することがある。図１Ａに図示されるように、基地局１１４ｂは、インターネット１１０への直接接続を有してよい。したがって、基地局１１４ｂは、ＣＮ１０６を介してインターネット１１０にアクセスすることが必要とされないことがある。
【００１９】
ＲＡＮ１０４は、ＣＮ１０６と通信してよく、ＣＮ１０６は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成された任意のタイプのネットワークであってよい。データは、異なるスループット要件、遅延要件、誤差許容範囲要件、信頼性要件、データスループット要件、モビリティ要件などの、さまざまなサービス品質（ＱｏＳ）要件を有することがある。ＣＮ１０６は、呼制御、課金サービス、モバイルロケーションベースサービス、プリペイドコーリング、インターネットコネクティビティ、ビデオ配信などを提供し、および／またはユーザ認証などの高レベルセキュリティ機能を実行し得る。図１Ａには図示されていないが、ＲＡＮ１０４および／またはＣＮ１０６は、ＲＡＮ１０４と同じＲＡＴまたは異なるＲＡＴを用いる他のＲＡＮと直接的または間接的に通信してよいことが諒解されるであろう。たとえば、ＮＲ無線技術を利用してよいＲＡＮ１０４に接続されることに加えて、ＣＮ１０６は、ＧＳＭ、ＵＭＴＳ、ＣＤＭＡ２０００、ＷｉＭＡＸ、Ｅ−ＵＴＲＡ、またはＷｉＦｉ無線技術を用いる別のＲＡＮ（図示せず）とも通信してよい。
【００２０】
ＣＮ１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしても働いてよい。ＰＳＴＮ１０８は、簡易電話サービス（ＰＯＴＳ）を提供する回線交換電話網を含んでよい。インターネット１１０は、ＴＣＰ／ＩＰインターネットプロトコルスイートにおける伝送制御プロトコル（ＴＣＰ）、ユーザデータグラムプロトコル（ＵＤＰ）、および／またはインターネットプロトコル（ＩＰ）などの一般的な通信プロトコルを使用する相互接続されたコンピュータネットワークおよびデバイスの世界的システムを含んでよい。ネットワーク１１２は、他のサービスプロバイダによって所有および／または運用されるワイヤード通信ネットワークおよび／またはワイヤレス通信ネットワークを含んでよい。たとえば、ネットワーク１１２は、ＲＡＮ１０４と同じＲＡＴまたは異なるＲＡＴを用いてよい１つまたは複数のＲＡＮに接続された別のＣＮを含んでよい。
【００２１】
通信システム１００内のＷＴＲＵ１０２ａ、１０２ｂ、１０２ｃ、１０２ｄのうちのいくつかまたはすべては、マルチモード能力を含んでよい（たとえば、ＷＴＲＵ１０２ａ、１０２ｂ、１０２ｃ、１０２ｄは、異なるワイヤレスリンクを通じて異なるワイヤレスネットワークと通信するための複数のトランシーバーを含んでよい）。たとえば、図１Ａに図示されるＷＴＲＵ１０２ｃは、セルラーベースの無線技術を用い得る基地局１１４ａ、およびＩＥＥＥ８０２無線技術を用い得る基地局１１４ｂと通信するように構成されてよい。
【００２２】
図１Ｂは、例示的なＷＴＲＵ１０２を例示するシステム図である。図１Ｂに図示されるように、ＷＴＲＵ１０２は、とりわけ、プロセッサー１１８、トランシーバー１２０、送信／受信要素１２２、スピーカ／マイクロホン１２４、キーパッド１２６、ディスプレイ／タッチパッド１２８、ノンリムーバブルメモリ１３０、リムーバブルメモリ１３２、電源１３４、全地球測位システム（ＧＰＳ）チップセット１３６、および／または他のペリフェラル１３８を含んでよい。ＷＴＲＵ１０２は、依然として態様に合致しながら、前述の要素の任意の副組み合わせを含んでよいことが諒解されるであろう。
【００２３】
プロセッサー１１８は、汎用プロセッサー、特殊目的プロセッサー、従来のプロセッサー、デジタル信号プロセッサー（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）、他の任意のタイプの集積回路（ＩＣ）、状態機械などであってよい。プロセッサー１１８は、信号符号化、データ処理、電力制御、入力／出力処理、および／またはＷＴＲＵ１０２がワイヤレス環境で動作することを可能にする他の任意の機能を実行し得る。プロセッサー１１８は、トランシーバー１２０に結合されてよく、トランシーバー１２０は、送信／受信要素１２２に結合されてよい。図１Ｂは、プロセッサー１１８とトランシーバー１２０とを別個の構成要素として描いているが、プロセッサー１１８とトランシーバー１２０とは、電子パッケージまたはチップ内で一緒に統合されてよいことが諒解されるであろう。
【００２４】
送信／受信要素１２２は、エアインタフェース１１６を通じて基地局（たとえば、基地局１１４ａ）に信号を送信する、またはエアインタフェース１１６を通じて基地局（たとえば、基地局１１４ａ）から信号を受信するように構成されてよい。たとえば、一態様では、送信／受信要素１２２は、ＲＦ信号を送信および／または受信するように構成されたアンテナであってよい。態様では、送信／受信要素１２２は、たとえば、ＩＲ信号、ＵＶ信号、または可視光信号を送信および／または受信するように構成された発光器／検出器であってよい。さらに別の態様では、送信／受信要素１２２は、ＲＦ信号と光信号の両方を送信および／または受信するように構成されてよい。送信／受信要素１２２は、ワイヤレス信号の任意の組み合わせを送信および／または受信するように構成されてよいことが諒解されるであろう。
【００２５】
送信／受信要素１２２は、図１Ｂでは単一の要素として描かれているが、ＷＴＲＵ１０２は、任意の数の送信／受信要素１２２を含んでよい。より具体的には、ＷＴＲＵ１０２は、ＭＩＭＯ技術を用いてよい。したがって、一態様では、ＷＴＲＵ１０２は、エアインタフェース１１６を通じてワイヤレス信号を送信および受信するための２つ以上の送信／受信要素１２２（たとえば、複数のアンテナ）を含んでよい。
【００２６】
トランシーバー１２０は、送信／受信要素１２２によって送信されることになる信号を変調し、送信／受信要素１２２によって受信された信号を復調するように構成されてよい。上記で述べられたように、ＷＴＲＵ１０２は、マルチモード能力を有してよい。したがって、トランシーバー１２０は、たとえばＷＴＲＵ１０２がＮＲおよびＩＥＥＥ８０２．１１などの複数のＲＡＴを介して通信することを可能にするための複数のトランシーバーを含んでよい。
【００２７】
ＷＴＲＵ１０２のプロセッサー１１８は、スピーカ／マイクロホン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合されてよく、これからユーザ入力データを受信してよい。プロセッサー１１８はまた、スピーカ／マイクロホン１２４、キーパッド１２６、および／またはディスプレイ／タッチパッド１２８にユーザデータを出力してよい。加えて、プロセッサー１１８は、ノンリムーバブルメモリ１３０および／またはリムーバブルメモリ１３２などの任意のタイプの適切なメモリからの情報にアクセスし、これにデータを記憶してよい。ノンリムーバブルメモリ１３０は、ランダムアクセスメモリ（ＲＡＭ）、読み出し専用メモリ（ＲＯＭ）、ハードディスク、または他の任意のタイプのメモリ記憶デバイスを含んでよい。リムーバブルメモリ１３２は、加入者アイデンティティモジュール（ＳＩＭ）カード、メモリスティック、セキュアデジタル（ＳＤ）メモリカードなどを含んでよい。他の態様では、プロセッサー１１８は、サーバまたはホームコンピュータ（図示せず）上などＷＴＲＵ１０２上に物理的に配置されないメモリからの情報にアクセスし、これにデータを記憶してよい。
【００２８】
プロセッサー１１８は、電源１３４から電力を受信してよく、電力をＷＴＲＵ１０２内の他の構成要素に配電および／または制御するように構成されてよい。電源１３４は、ＷＴＲＵ１０２に給電するための任意の適切なデバイスであってよい。たとえば、電源１３４は、１つまたは複数の乾電池バッテリ（たとえば、ニッケル−カドミウム（ＮｉＣｄ）、ニッケル−亜鉛（ＮｉＺｎ）、ニッケル水素（ＮｉＭＨ）、リチウムイオン（Ｌｉイオン）など）、太陽電池、燃料電池などを含んでよい。
【００２９】
プロセッサー１１８は、ＧＰＳチップセット１３６にも結合されてよく、ＧＰＳチップセット１３６は、ＷＴＲＵ１０２の現在のロケーションに関するロケーション情報（たとえば、経度および緯度）を提供するように構成されてよい。ＧＰＳチップセット１３６からの情報に加えて、またはこの代わりに、ＷＴＲＵ１０２は、基地局（たとえば、基地局１１４ａ、１１４ｂ）からエアインタフェース１１６を通じてロケーション情報を受信してよく、および／または２つ以上の近くの基地局から信号が受信されるタイミングに基づいてそのロケーションを決定してよい。ＷＴＲＵ１０２は、依然として態様に合致しながら、任意の適切なロケーション決定方法によってロケーション情報を取得してよいことが諒解されるであろう。
【００３０】
プロセッサー１１８は、他のペリフェラル１３８にさらに結合されてよく、他のペリフェラル１３８は、追加の特徴、機能、および／またはワイヤードコネクティビティもしくはワイヤレスコネクティビティを提供する１つまたは複数のソフトウェアモジュールおよび／またはハードウェアモジュールを含んでよい。たとえば、ペリフェラル１３８は、加速度計、電子コンパス、衛星トランシーバー、デジタルカメラ（写真および／またはビデオのための）、ユニバーサルシリアルバス（ＵＳＢ）ポート、振動デバイス、テレビトランシーバー、ハンズフリーヘッドセット、ブルートゥース（登録商標）モジュール、周波数変調（ＦＭ）無線ユニット、デジタル音楽プレーヤ、メディアプレーヤ、ビデオゲームプレーヤモジュール、インターネットブラウザ、仮想現実および／または拡張現実（ＶＲ／ＡＲ）デバイス、アクティビティトラッカなどを含んでよい。ペリフェラル１３８は、１つまたは複数のセンサを含んでよい。センサは、ジャイロスコープ、加速度計、ホール効果センサ、磁力計、方位センサ、近接センサ、温度センサ、時間センサ、ジオロケーションセンサ、高度計、光センサ、タッチセンサ、磁力計、気圧計、ジェスチャセンサ、バイオメトリックセンサ、湿度センサなどのうちの１つまたは複数であってよい。
【００３１】
ＷＴＲＵ１０２は、（たとえば、ＵＬ（たとえば、送信用）とＤＬ（たとえば、受信用）の両方のために特定のサブフレームと関連づけられた信号のうちのいくつかまたはすべての送信および受信が並行および／または同時であってよい全二重無線を含んでよい。全二重無線は、ハードウェア（たとえば、チョーク）またはプロセッサー（たとえば、別個のプロセッサー（図示せず）またはプロセッサー１１８を介して）を介した信号処理のどちらかを介して自己干渉を低下させるおよびまたは実質的に解消するために干渉管理ユニットを含んでよい。態様では、ＷＴＲＵ１０２は、（たとえば、ＵＬ（たとえば、送信用）またはＤＬ（たとえば、受信用）のどちらかのために特定のサブフレームと関連づけられた）信号のうちのいくつかまたはすべての送信および受信のための半二重無線を含んでよい。
【００３２】
図１Ｃは、態様によるＲＡＮ１０４およびＣＮ１０６を例示するシステム図である。上記で述べられたように、ＲＡＮ１０４は、Ｅ−ＵＴＲＡ無線技術を用いて、エアインタフェース１１６を通じてＷＴＲＵ１０２ａ、１０２ｂ、１０２ｃと通信してよい。ＲＡＮ１０４は、ＣＮ１０６とも通信してよい。
【００３３】
ＲＡＮ１０４は、ｅＮｏｄｅ−Ｂ１６０ａ、１６０ｂ、１６０ｃを含んでよいが、ＲＡＮ１０４は、依然として態様と合致しながら任意の数のｅＮｏｄｅ−Ｂを含んでよいことが諒解されるであろう。ｅＮｏｄｅ−Ｂ１６０ａ、１６０ｂ、１６０ｃは各々、エアインタフェース１１６を通じてＷＴＲＵ１０２ａ、１０２ｂ、１０２ｃと通信するための１つまたは複数のトランシーバーを含んでよい。一態様では、ｅＮｏｄｅ−Ｂ１６０ａ、１６０ｂ、１６０ｃは、ＭＩＭＯ技術を実施してよい。したがって、ｅＮｏｄｅ−Ｂ１６０ａは、たとえば、複数のアンテナを使用して、ＷＴＲＵ１０２ａにワイヤレス信号を送信してよく、および／またはＷＴＲＵ１０２ａからワイヤレス信号を受信してよい。
【００３４】
ｅＮｏｄｅ−Ｂ１６０ａ、１６０ｂ、１６０ｃの各々は、特定のセル（図示せず）と関連づけられてよく、無線リソース管理判断、ハンドオーバ判断、ＵＬおよび／またはＤＬにおけるユーザのスケジューリングなどを取り扱うように構成されてよい。図１Ｃに図示されるように、ｅＮｏｄｅ−Ｂ１６０ａ、１６０ｂ、１６０ｃは、Ｘ２インタフェースを通じて互いと通信してよい。
【００３５】
図１Ｃに図示されるＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（ＰＧＷ）１６６とを含んでよい。前述の要素はＣＮ１０６の一部として描かれているが、これらの要素のいずれも、ＣＮ事業者以外のエンティティによって所有および／または運用されてよいことが諒解されるであろう。
【００３６】
ＭＭＥ１６２は、Ｓ１インタフェースを介してＲＡＮ１０４内のｅＮｏｄｅ−Ｂ１６２ａ、１６２ｂ、１６２ｃの各々に接続されてよく、制御ノードとして働いてよい。たとえば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ中に特定のサービングゲートウェイを選択することなどの役割を果たしてよい。ＭＭＥ１６２は、ＲＡＮ１０４とＧＳＭおよび／またはＷＣＤＭＡなどの他の無線技術を用いる他のＲＡＮ（図示せず）とを切り換えるための制御プレーン機能を提供してよい。
【００３７】
ＳＧＷ１６４は、Ｓ１インタフェースを介してＲＡＮ１０４内のｅＮｏｄｅ  Ｂ１６０ａ、１６０ｂ、１６０ｃの各々に接続されてよい。ＳＧＷ１６４は、一般に、ユーザデータパケットをＷＴＲＵ１０２ａ、１０２ｂ、１０２ｃに／からルーティングおよび転送してよい。ＳＧＷ１６４は、ｅＮｏｄｅ  Ｂ間ハンドオーバ中にユーザプレーンをアンカリングすること、ＤＬデータがＷＴＲＵ１０２ａ、１０２ｂ、１０２ｃに利用可能であるときページをトリガすること、ＷＴＲＵ１０２ａ、１０２ｂ、１０２ｃのコンテキストを管理および記憶することなどの他の機能を実行してよい。
【００３８】
ＳＧＷ１６４はＰＧＷ１６６に接続されてよく、ＰＧＷ１６６は、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換網へのアクセスを提供してよい。
【００３９】
ＣＮ１０６は、他のネットワークとの通信を容易にしてよい。たとえば、ＣＮ１０６は、ＷＴＲＵ１０２ａ、１０２ｂ、１０２ｃと従来の陸線通信デバイスとの間の通信を容易にするために、ＷＴＲＵ１０２ａ、１０２ｂ、１０２ｃにＰＳＴＮ１０８などの回線交換網へのアクセスを提供してよい。たとえば、ＣＮ１０６は、ＣＮ１０６とＰＳＴＮ１０８との間のインタフェースとして働くＩＰゲートウェイ（たとえば、ＩＰマルチメディアサブシステム（ＩＭＳ）サーバ）を含んでもよいし、これと通信してもよい。加えて、ＣＮ１０６は、ＷＴＲＵ１０２ａ、１０２ｂ、１０２ｃに他のネットワーク１１２へのアクセスを提供してよく、他のネットワーク１１２は、他のサービスプロバイダによって所有および／または運用される他のワイヤードネットワークおよび／またはワイヤレスネットワークを含んでよい。
【００４０】
ＷＴＲＵは、図１Ａ〜図１Ｄではワイヤレス端末として説明されているが、いくつかの代表的な態様では、そのような端末は、通信ネットワークとのワイヤード通信インタフェースを（たとえば、一時的または永続的に）使用してよいことが企図されている。
【００４１】
代表的な態様では、他のネットワーク１１２はＷＬＡＮであってよい。
【００４２】
インフラストラクチャ基本サービスセット（ＢＳＳ）モードのＷＬＡＮは、ＢＳＳのためのアクセスポイント（ＡＰ）と、このＡＰと関連づけられた１つまたは複数の局（ＳＴＡ）とを有してよい。ＡＰは、配信システム（ＤＳ）またはＢＳＳへのおよび／もしくはこれからトラフィックを搬送する別のタイプのワイヤード／ワイヤレスネットワークへのアクセスまたはインタフェースを有してよい。ＢＳＳの外部から生じるＳＴＡへのトラフィックは、ＡＰを通して到着してよく、ＳＴＡに送達されてよい。ＳＴＡから生じる、ＢＳＳの外部の宛先へのトラフィックは、それぞれの宛先に送達されることになるＡＰに送られてよい。ＢＳＳ内のＳＴＡ間のトラフィックは、ＡＰを通して送られてよく、たとえば、送信元ＳＴＡがトラフィックをＡＰに送ってよく、ＡＰが、そのトラフィックを宛先ＳＴＡに送達してよい。ＢＳＳ内のＳＴＡ間のトラフィックは、ピアツーピアトラフィックと考えられ、および／またはピアツーピアトラフィックと呼ばれることがある。ピアツーピアトラフィックは、ダイレクトリンクセットアップ（ＤＬＳ）を用いて送信元ＳＴＡと宛先ＳＴＡとの間で（たとえば、これらの間で直接的に）送られてよい。いくつかの代表的な態様では、ＤＬＳは、８０２．１１ｅ  ＤＬＳまたは８０２．１１ｚトンネル化ＤＬＳ（ＴＤＬＳ）を使用してよい。独立ＢＳＳ（ＩＢＳＳ）モードを使用するＷＬＡＮは、ＡＰを有さなくてよく、ＩＢＳＳにおけるまたはこれを使用するＳＴＡ（たとえば、ＳＴＡのすべて）は、互いと直接的に通信してよい。通信のＩＢＳＳモードは、本明細書では、時々、通信の「アドホック」モードと呼ばれることがある。
【００４３】
動作の８０２．１１ａｃインフラストラクチャモードまたは類似の動作のモードを使用するとき、ＡＰは、１次チャネルなどの固定チャネル上でビーコンを送信してよい。１次チャネルは、固定された幅（たとえば、２０ＭＨｚ幅帯域幅）であってもよいし、動的に設定される幅であってもよい。１次チャネルは、ＢＳＳの動作チャネルであってよく、ＡＰとの接続を確立するためにＳＴＡによって使用されてよい。いくつかの代表的な態様では、キャリア検知多重アクセス衝突回避（ＣＳＭＡ／ＣＡ）が、たとえば、８０２．１１システム内で、実施されてよい。ＣＳＭＡ／ＣＡの場合、ＡＰを含めて、ＳＴＡ（たとえば、あらゆるＳＴＡ）は、１次チャネルを検知し得る。１次チャネルが、特定のＳＴＡによって検知／検出された、および／または特定のＳＴＡによってビジーであると決定された場合、その特定のＳＴＡはバックオフされてよい。１つのＳＴＡ（たとえば、１つの局のみ）が、任意の所与の時間に所与のＢＳＳで送信してよい。
【００４４】
高スループット（ＨＴ）ＳＴＡは、たとえば、１次２０ＭＨｚチャネルと隣接または非隣接２０ＭＨｚチャネルとの組み合わせを介して、通信のために４０ＭＨｚ幅チャネルを使用して、４０ＭＨｚ幅チャネルを形成してよい。
【００４５】
超高スループット（ＶＨＴ）ＳＴＡは、２０ＭＨｚ幅チャネル、４０ＭＨｚ幅チャネル、８０ＭＨｚ幅チャネル、および／または１６０ＭＨｚ幅チャネルをサポートしてよい。４０ＭＨｚチャネル、および／または８０ＭＨｚチャネルは、連続する２０ＭＨｚチャネルを組み合わせることによって形成されてよい。１６０ＭＨｚチャネルは、８つの連続する２０ＭＨｚチャネルを組み合わせることによって形成されてもよいし、２つの連続しない８０ＭＨｚチャネルを組み合わせることによって形成されてもよく、後者は、８０＋８０構成と呼ばれることがある。８０＋８０構成の場合、チャネル符号化後のデータは、データを２つのストリームに分割し得るセグメントパーサに通されてよい。逆高速フーリエ変換（ＩＦＦＴ）処理および時間領域処理は、各ストリーム上で別個に行われてよい。ストリームは、２つの８０ＭＨｚチャネル上にマップされてよく、データは、送信側ＳＴＡによって送信されてよい。受信側ＳＴＡのレシーバーでは、８０＋８０構成に関して上記で説明された動作が逆にされてよく、組み合わされたデータは、メディアアクセス制御（ＭＡＣ）に送られてよい。
【００４６】
動作のサブ１ＧＨｚモードは、８０２．１１ａｆおよび８０２．１１ａｈによってサポートされる。チャネル動作帯域幅、およびキャリアは、８０２．１１ａｆおよび８０２．１１ａｈでは、８０２．１１ｎおよび８０２．１１ａｃにおいて使用されるものと比較して低下される。８０２．１１ａｆは、ＴＶホワイトスペース（ＴＶＷＳ）スペクトル内の５ＭＨｚ帯域幅、１０ＭＨｚ帯域幅、および２０ＭＨｚ帯域幅をサポートし、８０２．１１ａｈは、非ＴＶＷＳスペクトルを使用して１ＭＨｚ帯域幅、２ＭＨｚ帯域幅、４ＭＨｚ帯域幅、８ＭＨｚ帯域幅、および１６ＭＨｚ帯域幅をサポートする。代表的な態様によれば、８０２．１１ａｈは、マクロカバレッジエリア内のメータタイプ制御／マシンタイプ通信（ＭＴＣ）デバイスなどのＭＴＣをサポートしてよい。ＭＴＣデバイスは、いくつかの能力、たとえば、いくつかのおよび／または限られた帯域幅に対するサポート（たとえば、これに対するサポートのみ）を含む限られた能力を有してよい。ＭＴＣデバイスは、（たとえば、非常に長いバッテリ寿命を維持するために）しきい値を上回るバッテリ寿命をもつバッテリを含んでよい。
【００４７】
複数のチャネルと８０２．１１ｎ、８０２．１１ａｃ、８０２．１１ａｆ、および８０２．１１ａｈなどのチャネル帯域幅とをサポートし得るＷＬＡＮシステムはチャネルを含み、このチャネルは、１次チャネルとして指定されてよい。１次チャネルは、ＢＳＳ内のすべてのＳＴＡによってサポートされる最大共通動作帯域幅に等しい帯域幅を有してよい。１次チャネルの帯域幅は、ＢＳＳで動作する際のすべてのＳＴＡから、最小帯域幅動作モードをサポートするＳＴＡによって設定および／または制限されてよい。８０２．１１ａｈの例では、１次チャネルは、ＡＰであっても、１ＭＨｚモードをサポートする（たとえば、これのみをサポートする）ＳＴＡ（たとえば、ＭＴＣタイプデバイス）に対して、１ＭＨｚ幅であってよく、ＢＳＳ内の他のＳＴＡは、２ＭＨｚ、４ＭＨｚ、８ＭＨｚ、１６ＭＨｚ、および／または他のチャネル帯域幅動作モードをサポートする。キャリア検知および／またはネットワーク割り当てベクトル（ＮＡＶ）設定は、１次チャネルのステータスに依存することがある。１次チャネルが、たとえば、ＳＴＡ（１ＭＨｚ動作モードのみをサポートする）がＡＰに送信することにより、ビジーである場合、利用可能な周波数帯の大半がアイドルのままであっても、すべての利用可能な周波数帯はビジーであると考えられ得る。
【００４８】
米国では、８０２．１１ａｈによって使用され得る利用可能な周波数帯は、９０２ＭＨｚから９２８ＭＨｚである。韓国では、利用可能な周波数帯は、９１７．５ＭＨｚから９２３．５ＭＨｚである。日本では、利用可能な周波数帯は、９１６．５ＭＨｚから９２７．５ＭＨｚである。８０２．１１ａｈの場合に利用可能な総帯域幅は、国名コードに応じて６ＭＨｚから２６ＭＨｚである。
【００４９】
図１Ｄは、態様によるＲＡＮ１０４およびＣＮ１０６を例示するシステム図である。上記で述べられたように、ＲＡＮ１０４は、ＮＲ無線技術を用いて、エアインタフェース１１６を通じてＷＴＲＵ１０２ａ、１０２ｂ、１０２ｃと通信してよい。ＲＡＮ１０４は、ＣＮ１０６とも通信してよい。
【００５０】
ＲＡＮ１０４は、ｇＮＢ１８０ａ、１８０ｂ、１８０ｃを含んでよいが、ＲＡＮ１０４は、依然として態様と合致しながら任意の数のｇＮＢを含んでよいことが諒解されるであろう。ｇＮＢ１８０ａ、１８０ｂ、１８０ｃは各々、エアインタフェース１１６を通じてＷＴＲＵ１０２ａ、１０２ｂ、１０２ｃと通信するための１つまたは複数のトランシーバーを含んでよい。一態様では、ｇＮＢ１８０ａ、１８０ｂ、１８０ｃは、ＭＩＭＯ技術を実施してよい。たとえば、ｇＮＢ１８０ａ、１０８ｂは、ビームフォーミングを利用して、ｇＮＢ１８０ａ、１８０ｂ、１８０ｃに信号を送信してよく、および／またはｇＮＢ１８０ａ、１８０ｂ、１８０ｃから信号を受信してよい。したがって、ｇＮＢ１８０ａは、たとえば、複数のアンテナを使用して、ＷＴＲＵ１０２ａにワイヤレス信号を送信してよく、および／またはＷＴＲＵ１０２ａからワイヤレス信号を受信してよい。態様では、ｇＮＢ１８０ａ、１８０ｂ、１８０ｃは、キャリアアグリゲーション技術を実施してよい。たとえば、ｇＮＢ１８０ａは、ＷＴＲＵ１０２ａに複数のコンポーネントキャリアを送信してよい（図示せず）。これらのコンポーネントキャリアのサブセットは、アンライセンススペクトル上にあってよく、残りのコンポーネントキャリアは、ライセンススペクトル上にあってよい。態様では、ｇＮＢ１８０ａ、１８０ｂ、１８０ｃは、多地点協調（ＣｏＭＰ）技術を実施してよい。たとえば、ＷＴＲＵ１０２ａは、ｇＮＢ１８０ａおよびｇＮＢ１８０ｂ（および／またはｇＮＢ１８０ｃ）からの協調送信を受信してよい。
【００５１】
ＷＴＲＵ１０２ａ、１０２ｂ、１０２ｃは、スケーラブルなニューメロロジー（scalable numerology）と関連づけられた送信を使用してｇＮＢ１８０ａ、１８０ｂ、１８０ｃと通信してよい。たとえば、ＯＦＤＭシンボルスペーシングおよび／またはＯＦＤＭサブキャリアスペーシングは、異なる送信、異なるセル、および／またはワイヤレス送信スペクトルの異なる部分に対して変化してよい。ＷＴＲＵ１０２ａ、１０２ｂ、１０２ｃは、さまざまな長さもしくはスケーラブルな長さの（たとえば、さまざまな数のＯＦＤＭシンボルを含むおよび／またはさまざまな長さの絶対時間続く）サブフレームまたは送信時間間隔（ＴＴＩ）を使用して、ｇＮＢ１８０ａ、１８０ｂ、１８０ｃと通信してよい。
【００５２】
ｇＮＢ１８０ａ、１８０ｂ、１８０ｃは、スタンドアロン構成および／または非スタンドアロン構成でＷＴＲＵ１０２ａ、１０２ｂ、１０２ｃと通信するように構成されてよい。スタンドアロン構成では、ＷＴＲＵ１０２ａ、１０２ｂ、１０２ｃは、他のＲＡＮ（たとえば、ｅＮｏｄｅ−Ｂ１６０ａ、１６０ｂ、１６０ｃなど）にもアクセスすることなく、ｇＮＢ１８０ａ、１８０ｂ、１８０ｃと通信してよい。スタンドアロン構成では、ＷＴＲＵ１０２ａ、１０２ｂ、１０２ｃは、ｇＮＢ１８０ａ、１８０ｂ、１８０ｃのうちの１つまたは複数をモビリティアンカーポイントとして利用してよい。スタンドアロン構成では、ＷＴＲＵ１０２ａ、１０２ｂ、１０２ｃは、アンライセンス帯域内の信号を使用してｇＮＢ１８０ａ、１８０ｂ、１８０ｃと通信してよい。非スタンドアロン構成では、ＷＴＲＵ１０２ａ、１０２ｂ、１０２ｃは、ｇＮＢ１８０ａ、１８０ｂ、１８０ｃと通信／接続してよいが、ｅＮｏｄｅ−Ｂ１６０ａ、１６０ｂ、１６０ｃなどの別のＲＡＮとも通信／接続してよい。たとえば、ＷＴＲＵ１０２ａ、１０２ｂ、１０２ｃは、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信するために、ＤＣ原理を実施してよい。非スタンドアロン構成では、ｅＮｏｄｅ−Ｂ１６０ａ、１６０ｂ、１６０ｃは、ＷＴＲＵ１０２ａ、１０２ｂ、１０２ｃのためのモビリティアンカーとして働いてよく、ｇＮＢ１８０ａ、１８０ｂ、１８０ｃは、ＷＴＲＵ１０２ａ、１０２ｂ、１０２ｃにサービスするために追加のカバレッジおよび／またはスループットを提供してよい。
【００５３】
ｇＮＢ１８０ａ、１８０ｂ、１８０ｃの各々は、特定のセル（図示せず）と関連づけられてよく、無線リソース管理判断、ハンドオーバ判断、ＵＬおよび／またはＤＬにおけるユーザのスケジューリング、ネットワークスライシングのサポート、ＤＣ、ＮＲとＥ−ＵＴＲＡとの間の網間接続、ユーザプレーン機能（ＵＰＦ）１８４ａ、１８４ｂに向けてのユーザプレーンデータのルーティング、アクセスおよびモビリティ管理機能（ＡＭＦ）１８２ａ、１８２ｂに向けての制御プレーン情報のルーティングなどを取り扱うように構成されてよい。図１Ｄに図示されるように、ｇＮＢ１８０ａ、１８０ｂ、１８０ｃは、Ｘｎインタフェースを通じて互いと通信してよい。
【００５４】
図１Ｄに図示されるＣＮ１０６は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、場合によってはデータネットワーク（ＤＮ）１８５ａ、１８５ｂとを含んでよい。前述の要素はＣＮ１０６の一部として描かれているが、これらの要素のいずれも、ＣＮ事業者以外のエンティティによって所有および／または運用されてよいことが諒解されるであろう。
【００５５】
ＡＭＦ１８２ａ、１８２ｂは、Ｎ２インタフェースを介してＲＡＮ１０４内のｇＮＢ１８０ａ、１８０ｂ、１８０ｃのうちの１つまたは複数に接続されてよく、制御ノードとして働いてよい。たとえば、ＡＭＦ１８２ａ、１８２ｂは、ＷＴＲＵ１０２ａ、１０２ｂ、１０２ｃのユーザを認証すること、ネットワークスライシングのサポート（たとえば、異なる要件をもつ異なるプロトコルデータユニット（ＰＤＵ）セッションの取り扱い）、特定のＳＭＦ１８３ａ、１８３ｂを選択すること、登録エリアの管理、非アクセス層（ＮＡＳ）シグナリングの終了、モビリティ管理などの役割を果たしてよい。ネットワークスライシングは、ＷＴＲＵ１０２ａ、１０２ｂ、１０２ｃを利用しているサービスのタイプに基づいてＷＴＲＵ１０２ａ、１０２ｂ、１０２ｃのためのＣＮサポートをカスタマイズするために、ＡＭＦ１８２ａ、１８２ｂによって使用されてよい。たとえば、異なるネットワークスライスは、超高信頼性低遅延（ＵＲＬＬＣ）アクセスに依拠するサービス、拡張大容量モバイルブロードバンド（ｅＭＢＢ）アクセスに依拠するサービス、ＭＴＣアクセスのためのサービスなどの異なる使用ケースに対して確立されてよい。ＡＭＦ１８２ａ、１８２ｂは、ＲＡＮ１０４とＬＴＥ、ＬＴＥ−Ａ、ＬＴＥ−Ｐｒｏ、および／またはＷｉＦｉなどの非３ＧＰＰアクセス技術などの他の無線技術を用いる他のＲＡＮ（図示せず）とを切り換えるための制御プレーン機能を提供してよい。
【００５６】
ＳＭＦ１８３ａ、１８３ｂは、Ｎ１１インタフェースを介してＣＮ１０６内のＡＭＦ１８２ａ、１８２ｂに接続されてよい。ＳＭＦ１８３ａ、１８３ｂは、Ｎ４インタフェースを介してＣＮ１０６内のＵＰＦ１８４ａ、１８４ｂにも接続されてよい。ＳＭＦ１８３ａ、１８３ｂは、ＵＰＦ１８４ａ、１８４ｂを選択および制御し、ＵＰＦ１８４ａ、１８４ｂを通るトラフィックのルーティングを構成してよい。ＳＭＦ１８３ａ、１８３ｂは、ＵＥ  ＩＰアドレスを管理および割り振ること、ＰＤＵセッションを管理すること、ポリシー執行およびＱｏＳを制御すること、ＤＬデータ通知を提供することなどの他の機能を実行してよい。ＰＤＵセッションタイプは、ＩＰベース、非ＩＰベース、イーサネットベースなどであってよい。
【００５７】
ＵＰＦ１８４ａ、１８４ｂは、Ｎ３インタフェースを介してＲＡＮ１０４内のｇＮＢ１８０ａ、１８０ｂ、１８０ｃのうちの１つまたは複数に接続されてよく、ｇＮＢ１８０ａ、１８０ｂ、１８０ｃのうちの１つまたは複数は、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換網へのアクセスを提供してよい。ＵＰＦ１８４、１８４ｂは、パケットをルーティングおよび転送すること、ユーザプレーンポリシーを執行すること、マルチホームＰＤＵセッションをサポートすること、ユーザプレーンＱｏＳを取り扱うこと、ＤＬパケットをバッファリングすること、モビリティアンカリングを提供することなどの他の機能を実行してよい。
【００５８】
ＣＮ１０６は、他のネットワークとの通信を容易にしてよい。たとえば、ＣＮ１０６は、ＣＮ１０６とＰＳＴＮ１０８との間のインタフェースとして働くＩＰゲートウェイ（たとえば、ＩＰマルチメディアサブシステム（ＩＭＳ）サーバ）を含んでもよいし、これと通信してもよい。加えて、ＣＮ１０６は、ＷＴＲＵ１０２ａ、１０２ｂ、１０２ｃに他のネットワーク１１２へのアクセスを提供してよく、他のネットワーク１１２は、他のサービスプロバイダによって所有および／または運用される他のワイヤードネットワークおよび／またはワイヤレスネットワークを含んでよい。一態様では、ＷＴＲＵ１０２ａ、１０２ｂ、１０２ｃは、ＵＰＦ１８４ａ、１８４ｂへのＮ３インタフェースおよびＵＰＦ１８４ａ、１８４ｂとＤＮ１８５ａ、１８５ｂとの間のＮ６インタフェースを介して、ＵＰＦ１８４ａ、１８４ｂを通してローカルＤＮ１８５ａ、１８５ｂに接続されてよい。
【００５９】
図１Ａ〜図１Ｄ、および図１Ａ〜図１Ｄの対応する説明に鑑みて、本明細書においてＷＴＲＵ１０２ａ−ｄ、基地局１１４ａ−ｂ、ｅＮｏｄｅ−Ｂ１６０ａ−ｃ、ＭＭＥ１６２、ＳＧＷ１６４、ＰＧＷ１６６、ｇＮＢ１８０ａ−ｃ、ＡＭＦ１８２ａ−ｂ、ＵＰＦ１８４ａ−ｂ、ＳＭＦ１８３ａ−ｂ、ＤＮ１８５ａ−ｂ、および／または本明細書において説明される他の任意のデバイスのうちの１つまたは複数に関して説明される機能の１つもしくは複数、またはすべては、１つまたは複数のエミュレーションデバイス（図示せず）によって実行されてよい。エミュレーションデバイスは、本明細書において説明される機能の１つもしくは複数、またはすべてをエミュレートするように構成された１つまたは複数のデバイスであってよい。たとえば、エミュレーションデバイスは、他のデバイスをテストするため、ならびに／またはネットワーク機能および／もしくはＷＴＲＵ機能をシミュレートするために使用されてよい。
【００６０】
エミュレーションデバイスは、ラボ環境内および／または事業者ネットワーク環境内の他のデバイスの１つまたは複数のテストを実施するように設計されてよい。たとえば、１つまたは複数のエミュレーションデバイスは、通信ネットワーク内の他のデバイスをテストするためにワイヤード通信ネットワークおよび／またはワイヤレス通信ネットワークの一部として完全にまたは部分的に実施および／または展開されながら、１つもしくは複数、またはすべての機能を実行してよい。１つまたは複数のエミュレーションデバイスは、ワイヤード通信ネットワークおよび／またはワイヤレス通信ネットワークの一部として一時的に実施／展開されながら、１つもしくは複数、またはすべての機能を実行してよい。エミュレーションデバイスは、無線通信経由の（over-the-air）ワイヤレス通信を使用してテストするおよび／またはテスティングを実行する目的のために別のデバイスに直接的に結合されてよい。
【００６１】
１つまたは複数のエミュレーションデバイスは、ワイヤード通信ネットワークおよび／またはワイヤレス通信ネットワークの一部として実施／展開されない間、すべてを含む、１つもしくは複数の機能を実行してよい。たとえば、エミュレーションデバイスは、１つまたは複数の構成要素のテスティングを実施するために、テスティングラボラトリならびに／または展開されない（たとえば、テスティング）ワイヤード通信ネットワークおよび／もしくはワイヤレス通信ネットワークにおけるテスティングシナリオにおいて利用されてよい。１つまたは複数のエミュレーションデバイスは、テスト機器であってよい。直接ＲＦ結合および／またはＲＦ回路を介したワイヤレス通信（たとえば、１つまたは複数のアンテナを含んでよい）は、データを送信および／または受信するためにエミュレーションデバイスによって使用されてよい。
【００６２】
図２は、間欠的な信号受信（ＤＲＸ；discontinuous reception）の例を図示する。ＤＲＸは、バッテリ節約のために使用されることがある。ＤＲＸは、ＯＮデュレーションおよびＯＦＦデュレーションのサイクルを有してよく、これは、繰り返しまたは周期的な繰り返しであってよい。ＤＲＸ中、ＷＴＲＵは、ダウンリンク（ＤＬ）制御チャネル（たとえば、ＰＤＣＣＨ）を監視しないことがある。無線リソース制御（ＲＲＣ）接続モードでは、ＷＴＲＵは、接続モードＤＲＸ（Ｃ−ＤＲＸ）を使用してよい。ＷＴＲＵは、ＯＮデュレーション期間中は、構成されたＰＤＣＣＨを監視してよく、ＷＴＲＵは、ＯＦＦデュレーション中は、スリープしてよいまたは監視しなくてよい。ＰＤＣＣＨは、本明細書ではＤＬ制御チャネルの非限定的な例として使用されているが、他の任意のタイプのＤＬ制御チャネルが使用されてもよい。ＤＲＸサイクルは、ショートＤＲＸサイクルであってもよいし、ロングＤＲＸサイクルであってもよい。ＷＴＲＵは、ショートＤＲＸサイクルを使用することと、ロングＤＲＸサイクルを使用することとを切り換えてよい。
【００６３】
ＤＲＸ非アクティビティタイマは、正常に復号されたＰＤＣＣＨがＵＬユーザデータ送信またはＤＬユーザデータ送信、たとえば初期データ送信を示すＰＤＣＣＨ機会の後の時間を決定してもよいし、これを決定するために使用されてもよい。この時間は、ＴＴＩ持続時間によるものであってよい。ＤＲＸ非アクティビティタイマは、いつＯＦＦデュレーションに入るべきかを決定するために使用されてよい。
【００６４】
ＰＤＣＣＨ機会は、シンボル、シンボルのセット、スロット、またはサブフレームなどのＰＤＣＣＨを含み得る時間期間であってよい。ＤＲＸ  ＯＮデュレーションは、ＤＲＸサイクルの冒頭における持続時間であってよい。ＯＮデュレーションタイマは、ＷＴＲＵによって監視もしくは復号され得るまたはＷＴＲＵによって監視もしくは復号される必要があり得るＰＤＣＣＨ機会の数を決定してもよいし、これを決定するために使用されてもよい。たとえば、監視または復号するためのＰＤＣＣＨ機会は、ＤＲＸサイクルからのウェイクアップの後であってもよいし、ＤＲＸサイクルの冒頭にあってもよい。ＰＤＣＣＨ機会は、ＰＤＣＣＨ機会の通し番号であってよい。ＰＤＣＣＨ機会は、通しでないＰＤＣＣＨ機会であってよい。
【００６５】
ＤＲＸ再送信タイマは、再送信がＷＴＲＵによっていつ予想され得るかを監視するためのＰＤＣＣＨ機会の数を決定してもよいし、これを決定するために使用されてもよい。ＤＲＸ再送信タイマは、ＤＬ再送信が受信され得るまでの最大持続時間またはＵＬ再送信のためのグラントが受信され得るまでの最大持続時間を決定してもよいし、これを決定するために使用されてもよい。
【００６６】
ＤＲＸショートサイクルは、ＤＲＸ非アクティビティタイマの満了後にＷＴＲＵが入る第１のＤＲＸサイクルであってよい。ＷＴＲＵは、ＤＲＸショートサイクルタイマの満了までショートＤＲＸサイクル内にあってよい。ＤＲＸショートサイクルタイマが満了したとき、ＷＴＲＵは、ロングＤＲＸサイクルを使用することがある。ＤＲＸショートサイクルタイマは、ＤＲＸ非アクティビティタイマが満了した後にＷＴＲＵがショートＤＲＸサイクルを追跡し得る連続サブフレームの数を決定してもよいし、これを決定するために使用されてもよい。
【００６７】
ＯＦＦデュレーションの間、ＷＴＲＵは、周期的チャネル状態情報（ＣＳＩ）を測定および／または報告するように構成されたサブフレーム内のＣＳＩを測定または報告しなくてよい。
【００６８】
ＷＴＲＵは、アクティブ時間中にＰＤＣＣＨまたはＰＤＣＣＨ機会を監視してよい、またはこれを監視する必要があることがある。アクティブ時間は、ＯＮデュレーションの間に発生することもあり、またはＯＦＦデュレーションの間に発生することもある。アクティブ時間は、ＯＮデュレーションの間に開始し、ＯＦＦデュレーションの間に継続してよい。アクティブ時間という用語と、ＤＲＸサイクルのアクティブ時間という用語とは、本明細書では互換的に使用され得る。
【００６９】
アクティブ時間は、ＯＮデュレーションタイマ、非アクティビティタイマ、ＤＬ再送信タイマ、ＵＬ再送信タイマ、またはランダムアクセス競合解決タイマなどのタイマが稼働中である時間を含んでよい。アクティブ時間は、スケジューリング要求がたとえばＰＵＣＣＨ上で送られ、保留中である時間を含んでよい。アクティブ時間は、競合ベースのランダムアクセスプリアンブルの間でのＭＡＣエンティティによって選択されないランダムアクセスプリアンブルに対するランダムアクセス応答の正常な受信後の、ＷＴＲＵのＭＡＣエンティティのセル無線ネットワーク一時識別子（Ｃ−ＲＮＴＩ）にアドレス指定された新しい送信を示すＰＤＣＣＨが受信されていない時間を含んでよい。
【００７０】
ＤＲＸタイマは、ＤＲＸと関連づけられたタイマであってよい。１つまたは複数のＤＲＸタイマは、ＤＲＸと関連づけられてよい。ＤＲＸタイマの例は、限定するものではないが、ＤＲＸ  ＯＮデュレーションタイマ（たとえば、ｄｒｘ−ｏｎＤｕｒａｔｉｏｎＴｉｍｅｒ）、ＤＲＸ非アクティビティタイマ（たとえば、ｄｒｘ−ＩｎａｃｔｉｖｉｔｙＴｉｍｅｒ）、ＤＲＸ  ＤＬ再送信タイマ（たとえば、ｄｒｘ−ＲｅｔｒａｎｓｍｉｓｓｉｏｎＴｉｍｅｒＤＬ）、ＤＲＸ  ＵＬ再送信タイマ（たとえば、ｄｒｘ−ＲｅｔｒａｎｓｍｉｓｓｉｏｎＴｉｍｅｒＵＬ）、ＵＬのためのＤＲＸハイブリッド自動再送要求ラウンドトリップタイマ（ＨＡＲＱ  ＲＴＴ）タイマ（たとえば、ｄｒｘ−ＨＡＲＱ−ＲＴＴ−ＴｉｍｅｒＵＬ）、およびＤＬのためのＤＲＸ  ＨＡＲＱ  ＲＴＴタイマ（たとえば、ｄｒｘ−ＨＡＲＱ−ＲＴＴ−ＴｉｍｅｒＤＬ）を含んでよい。
【００７１】
ＤＲＸ非アクティビティタイマは、ＰＤＣＣＨがＭＡＣエンティティのための初期アップリンクユーザデータ送信または初期ダウンリンクユーザデータ送信を示すＰＤＣＣＨ機会の後の持続時間であってよい。ＤＲＸ  ＤＬ再送信タイマは、ダウンリンク再送信が受信されるまでの最大持続時間であってよい。各ダウンリンクＨＡＲＱプロセスは、ＤＲＸ  ＤＬ再送信タイマと関連づけられてよい。ＤＲＸ  ＵＬ再送信タイマは、アップリンク再送信のためのグラントが受信されるまでの最大持続時間であってよい。各アップリンクＨＡＲＱプロセスは、ＤＲＸ  ＵＬ再送信タイマと関連づけられてよい。アップリンクのためのＤＲＸ  ＨＡＲＱ  ＲＴＴタイマは、アップリンクＨＡＲＱ再送信グラントがＷＴＲＵまたはＭＡＣエンティティによって予想される前の最小持続時間であってよい。各アップリンクＨＡＲＱプロセスは、アップリンクのためのＤＲＸ  ＨＡＲＱ  ＲＴＴタイマと関連づけられてよい。ダウンリンクのためのＤＲＸ  ＨＡＲＱ  ＲＴＴタイマは、ＨＡＲＱ再送信グラントのためのダウンリンク割り当てがＷＴＲＵまたはＭＡＣエンティティによって予想される前の最小持続時間であってよい。各ダウンリンクＨＡＲＱプロセスは、ダウンリンクのためのＤＲＸ  ＨＡＲＱ  ＲＴＴタイマと関連づけられてよい。
【００７２】
図３は、ＤＲＸ動作とともにウェイクアップ信号（ＷＵＳ）およびゴートゥースリープ（ＧＯＳ）の例を図示する。ＷＵＳは、ＤＲＸ動作とともに使用されてよい。ＧＯＳは、ＤＲＸ動作とともに使用されてよい。システムまたはネットワークでは、ＷＵＳまたはＧＯＳのどちらかが使用されてよい。ＷＵＳとＧＯＳの両方が使用されてもよい。ＷＵＳ／ＧＯＳは、１つまたは複数のＤＲＸサイクルと関連づけられてよい。ＷＵＳ／ＧＯＳは、関連づけられた時間または関連づけられたＤＲＸサイクルの一部の前に送信および／または受信されてよい。ＷＴＲＵがＷＵＳを受信した場合、ＷＴＲＵは、１つまたは複数のＤＲＸサイクルにわたってＯＮデュレーションにおけるＰＤＣＣＨを監視してよい。ＷＴＲＵがＧＯＳを受信した場合、ＷＴＲＵは、１つまたは複数のＤＲＸサイクルにわたってＯＮデュレーションにおけるＰＤＣＣＨを監視することをスキップしてよく、スリープモード（たとえば、ディープスリープ）を保ってよい。
【００７３】
５Ｇワイヤレスシステムのための３ＧＰＰ  Ｎｅｗ  Ｒａｄｉｏ（ＮＲ）などのシステムでは、新しい構造および設計が、ＰＤＣＣＨならびに物理ダウンリンク共有チャネル（ＰＤＳＣＨ）のために採用され得る。スロットベースの送信および非スロットベースの送信ならびに異なるレートの監視が、ＰＤＣＣＨに使用されてよい。
【００７４】
リソース要素グループ（ＲＥＧ）は、ＰＤＣＣＨのための最小ビルディングブロックであってよい。ＲＥＧは、時間に関して１つのＯＦＤＭシンボル上の１２個のリソース要素（ＲＥ）と、周波数に関して１つのリソースブロック（ＲＢ）からなってよい。ＲＥＧでは、９つのＲＥは制御情報のために使用されてよく、３つのＲＥは復調参照信号（ＤＭＲＳ）のために使用されてよい。時間的または周波数的に隣接する複数のＲＥＧ（たとえば、２つ、３つ、または６つ）は、同じプリコーダとともに使用されてよいＲＥＧバンドルを形成してよく、それらのＤＭＲＳは、チャネル推定に一緒に使用されてよい。６つのＲＥＧ（たとえば、１つ、２つ、または３つのＲＥＧバンドルのフォーマットにおける）は、可能な最小ＰＤＣＣＨであってよい１つの制御チャネル要素（ＣＣＥ）を形成してよい。ＰＤＣＣＨは、１つまたは複数のＣＣＥ（たとえば、１つ、２つ、４つ、８つ、または１６個のＣＣＥ）からなってよい。ＰＤＣＣＨのためのＣＣＥの数は、そのアグリゲーションレベル（ＡＬ）と呼ばれることがある。
【００７５】
ＲＥＧバンドルのマッピングは、インターリービングを使用してもよいし、非インターリービングを使用してもよい。非インターリービングマッピングでは、連続ＲＥＧバンドル（たとえば、周波数に関して隣接する）はＣＣＥを形成してよく、周波数に関して隣接するＣＣＥはＰＤＣＣＨを形成してよい。インターリービングマッピングでは、ＲＥＧは、ＣＣＥにマップされる前にインターリーブまたは置換されることがあり、これが、１つのＣＣＥ内の隣接しないＲＥＧバンドルおよび１つのＰＤＣＣＨ内の隣接しないＣＣＥをもたらすことがある。
【００７６】
制御リソースセット（ＣＯＲＥＳＥＴ）は、ｉ）周波数割り当て（たとえば、６つのＲＢのチャンクとして）、ｉｉ）時間的な長さ（たとえば、１つ〜３つのＯＦＤＭシンボル）、ｉｉｉ）ＲＥＧバンドルのタイプ、およびｉｖ）インターリービングまたは非インターリービングを使用し得る、ＲＥＧバンドルからＣＣＥへのマッピングのタイプ、のうちの少なくとも１つによって構成されてもよいし、これらのうちの少なくとも１つを備えてもよい。帯域幅部分（ＢＷＰ）では、最大Ｎ個（たとえば３つ）のＣＯＲＥＳＥＴであってよい。たとえば、４つの可能な帯域幅部分に１２個のＣＯＲＥＳＥＴがあってよい。
【００７７】
ＷＴＲＵは、監視するためのＰＤＣＣＨ候補のセットを監視してもよいし、これが割り当てられてよい。ＰＤＣＣＨ候補のセットは、ＰＤＣＣＨのブラインド検出中に監視されてよい。複数のアグリゲーションレベルのためのサーチスペースまたはサーチスペースのセットは、ブラインド検出などを用いて監視するためのＰＤＣＣＨ候補のセットであってもよいし、これを含んでもよい。サーチスペースまたはサーチスペースのセットは、ｉ）関連づけられたＣＯＲＥＳＥＴ、ｉｉ）各アグリゲーションレベルのためまたはその中の候補の数、およびｉｉｉ）監視機会のセット、のうちの少なくとも１つによって構成されてよい。監視機会は、監視周期性（たとえば、スロットに関する）、監視オフセット、および監視パターン（たとえば、スロット内部のシンボルの可能なパターンに対応する１４ビット）、のうちの１つまたは複数を含んでよい。
【００７８】
ＮＲでは、サーチスペースは、バーストトラフィックなどの頻繁に発生しないデータトラフィックをＷＴＲＵが有するとき、より低いＷＴＲＵバッテリ消費量のために有益であり得るＰＤＣＣＨ監視時間を低下させるために、長い周期性とともに構成されてよい。しかしながら、図４に図示されるように、サーチスペースの長い周期性は、バーストデータがバッファに到着するときにＷＴＲＵアクティブ時間を増加させ得、そのことが、複数のＰＤＳＣＨまたはＰＵＳＣＨ送信が送信を終えることを必要とし得る。アップリンク送信帯域幅は、ＷＴＲＵカバレッジレベルに基づいてさらに制限され得るので、より長いアクティブ時間は、アップリンクバーストトラフィックに対して、より著しくなり得る。
【００７９】
ＷＴＲＵは、ＣＯＲＥＳＥＴおよびその関連づけられた１つまたは複数のサーチスペースとともに構成されてよい。ＣＯＲＥＳＥＴ構成は、周波数領域リソース（たとえば、ＣＯＲＥＳＥＴに使用されるリソースブロックのセット）、ＯＦＤＭシンボルの数、ＲＥＧバンドルサイズ、ＣＣＥ−ＲＥＧマッピングタイプ、および関連づけられたＣＯＲＥＳＥＴ情報（たとえば、ＣＯＲＥＳＥＴ−ｉｄ）のうちの１つまたは複数を含んでよいサーチスペース構成、監視スロット周期性、ＰＤＣＣＨアグリゲーションレベルごとの復号化候補の数、およびスロット内の監視シンボル、のうちの１つまたは複数を含んでよい。
【００８０】
サーチスペース、ＰＤＣＣＨサーチスペース、およびＰＤＣＣＨ監視機会という用語は、本明細書では互換的であってよい。ＰＤＣＣＨ監視機会は、ＷＴＲＵが１つまたは複数のサーチスペースを監視し得る時間インスタンス（たとえば、スロット、サブフレーム、およびシンボル）と考えられてよい。サーチスペースの周期性、サーチスペースの監視周期性、ＰＤＣＣＨ監視周期性、サーチスペースのデューティサイクル、サーチスペースの監視間隙、ＰＤＣＣＨ監視サイクル、ＰＤＣＣＨ監視機会サイクル、周期性、およびサーチスペース監視機会サイクルという用語は、本明細書では互換的であってよい。
【００８１】
ＷＴＲＵがサーチスペースを監視するとき、ＷＴＲＵは、サーチスペース内の１つまたは複数のＰＤＣＣＨ候補を復号することを試みてよい。各ＰＤＣＣＨ候補は、１つまたは複数のＣＣＥを備えてよく、ＰＤＣＣＨ候補のためのＣＣＥの数は、アグリゲーションレベル（ＡＬ）と呼ばれてよい。ＰＤＣＣＨ候補、ＰＤＣＣＨ復号化候補、ＰＤＣＣＨブラインド復号化候補、復号化候補、およびブラインド復号化候補という用語は、本明細書では互換的に使用され得る。
【００８２】
１つまたは複数のサーチスペースタイプが使用されてよい。各サーチスペースタイプは、異なる時間挙動を有してよい。たとえば、第１のサーチスペースタイプは、周期的サーチスペース（Ｐ−ＳＳ）であってよく、ＷＴＲＵは、サーチスペースが構成されると、ｓ個のスロットごとなど周期的に、サーチスペースを監視してよい。第２のサーチスペースタイプは、半永続的サーチスペース（ＳＰ−ＳＳ）であってよく、ＷＴＲＵは、ＳＰ−ＳＳがアクティブ状態であるとき、ＳＰ−ＳＳを監視してよい。第３のサーチスペースタイプは、非周期的サーチスペース（Ａ−ＳＳ）であってよく、ＷＴＲＵは、動的に示されてよい、１つまたは複数の時間インスタンス内のＡ−ＳＳを監視してよい。
【００８３】
サーチスペースタイプは、サーチスペースのためのＲＲＣ構成における表示に基づいて決定されてよい。サーチスペースタイプは、サーチスペース内で監視され得る関連づけられたＤＣＩフォーマットまたはＤＣＩタイプに基づいて決定されてよい。ＤＣＩフォーマットまたはＤＣＩタイプは、トラフィックタイプ（たとえば、ｅＭＢＢ、ＵＲＬＬＣ、またはｍＭＴＣ）に基づいて決定されてよい。サーチスペースタイプは、動作のモード（たとえば、通常モード、電力節約モード）に基づいて決定されてよい。たとえば、通常モードは、Ｐ−ＳＳと関連づけられてよく、電力節約モードは、ＳＰ−ＳＳまたはＡ−ＳＳと関連づけられてよい。
【００８４】
サーチスペースタイプは、ダウンリンクグラントおよび／またはアップリンクグラントに使用されてよい。ダウンリンクグラントは、ＰＤＳＣＨをスケジュールするために使用されてよく、アップリンクグラントが、ＰＵＳＣＨをスケジュールするために使用されてよい。ＰＤＳＣＨおよびＰＵＳＣＨは、チャネルの非限定的な例であり、本明細書において説明される例では互いの代わりにされてよい。
【００８５】
ＷＴＲＵは、同じスロット内の１つまたは複数のサーチスペースタイプを監視する必要があることがあり、ブラインド復号化候補の数および／またはチャネル推定のためのＣＣＥの数がしきい値よりも大きいとき、ＷＴＲＵは、サーチスペース時間領域特性（たとえば、周期的、半永続的、および非周期的）に基づいてサーチスペースに優先順位をつけてよく、より低い優先順位サーチスペースを監視することをスキップしてよい。Ａ−ＳＳは、ＷＴＲＵ固有サーチスペース内の最高優先順位であってよい。ＳＰ−ＳＳは、Ｐ−ＳＳよりも高い優先順位であってよい。共通サーチスペースは、ＷＴＲＵ固有サーチスペースよりも高い優先順位であってよい。１つまたは複数のサーチスペースが、同じタイプのサーチスペースである、または同じ時間領域特性を有する場合、より低いサーチスペースアイデンティティ番号は、より高い優先順位を有してよい。
【００８６】
ＷＴＲＵ電力消費量は、ＳＰＳＳを使用してＰＤＣＣＨ監視をトラフィックニーズ（たとえばバーストトラフィック）適応させることによって、アクティブ時間中に低下され得る。ＳＰ−ＳＳは、動的サーチスペースアクティブ化／非アクティブ化および／またはサーチスペース監視周期性の動的表示とともに使用されてよい。ＳＰ−ＳＳは、ＷＴＲＵがたとえば電力節約モードまたはバースト送信モードなどのある送信モードとともに構成されるときに、使用されてよい。
【００８７】
図５は、長いＰ−ＳＳとともにバーストトラフィックのサポートのためのＳＰ−ＳＳの例を図示する。図５では、Ｐ−ＳＳは、たとえば、スロットｓ、スロットｓ＋４、スロットｓ＋８、およびスロットｓ＋１２において図示される、４スロット周期性とともに構成される。ＷＴＲＵは、（たとえば４つのスロットごとに）Ｐ−ＳＳ内のＰＤＣＣＨに関して監視してよい。ｇＮＢは、ＷＴＲＵに送るためのバーストデータを有してよい。ＳＰ−ＳＳがアクティブ化されてよい。ＳＰ−ＳＳは、関連づけられたＰ−ＳＳを介してアクティブ化されてよい。ＷＴＲＵは、ＳＰ−ＳＳアクティブ化に基づいて、スロットｓ＋５においてＳＰ−ＳＳを監視してよい。ＳＰ−ＳＳのための周期性は、図５に図示される１つのスロットとして構成されてよい。ＷＴＲＵは、スロットｓ＋５で始まり、その後１つのスロットごとに、ＳＰ−ＳＳを監視してよい。Ｐ−ＳＳとＳＰ−ＳＳとは、たとえばスロットｓ＋８で、時間的に重複してよい。ＳＰ−ＳＳは、たとえばスロットｓ＋１０で、非アクティブ化されてよく、ＷＴＲＵは、ＳＰ−ＳＳを監視するのを停止してよい。ＷＴＲＵは、たとえばスロットｓ＋１２において、４スロット周期性に基づいてＰ−ＳＳを監視してよい。ＰＳ−ＳＳ監視周期性は、新しい周期性を用いて、たとえばスロットｓ＋１２では、２スロット周期性を用いて、更新されてよい。ＷＴＲＵは、たとえば、スロットｓ＋１４、ｓ＋１６などにおいて、更新された周期性とともにＰ−ＳＳを監視してよい。
【００８８】
図６は、バーストトラフィックのサポートのためのＳＰ−ＳＳを使用する例を図示する。ＷＴＲＵは、１つまたは複数のサーチスペースの構成情報を受信してよい（６１０）。この構成情報は、サーチスペースの監視周期性を含んでよい。監視周期性は、タイムスロットまたはタイムスロット繰り返しを示し得る。構成情報は、監視オフセットを含んでよい。構成情報は、監視パターンを含んでよい。ＷＴＲＵは、複数のタイプのサーチスペースのための構成情報を受信してよい。たとえば、ＷＴＲＵは、Ｐ−ＳＳおよびＳＰ−ＳＳのための構成情報を受信してよい。ＳＰ−ＳＳは、１つまたは複数のＰ−ＳＳと関連づけられてよい。Ｐ−ＳＳの１つまたは複数のサーチスペース構成は、関連づけられたＳＰ−ＳＳ内で使用または再使用されてよい。ＳＰ−ＳＳをアクティブ化し得る関連づけられたＰ−ＳＳの構成は、ＳＰ−ＳＳを監視するために使用されてよく、ＤＣＩ構成、フォーマット、内容（たとえば、ＴＣＩ状態の存在）すなわちアグリゲーションレベル、アグリゲーションレベルごとのＰＤＣＣＨ候補の数、スロット内のシンボルまたは監視シンボルの数を含んでよい。ＳＰ−ＳＳは、Ｐ−ＳＳのための構成情報のサブセットとともに構成されてよい。構成情報のサブセット内にないＰ−ＳＳの構成情報は、関連づけられたＰ−ＳＳに基づいて決定されてよい。ＷＴＲＵは、ｇＮＢから構成情報を受信してよい。ＷＴＲＵは、無線リソース制御（ＲＲＣ）シグナリングまたはＲＲＣメッセージを介して構成情報を受信してよい。
【００８９】
ＷＴＲＵは、ＳＰ−ＳＳをサポートするために、その能力の表示を送ってよい。ＷＴＲＵは、表示をｇＮＢに送ってよい。例では、ＷＴＲＵが、ＳＰ−ＳＳのためのアクティブ化／非アクティブ化信号を受信するために能力を有する場合、ＷＴＲＵはＳＰ−ＳＳをサポートしてよい。例では、ＷＴＲＵが、電力節約モードをサポートする能力を有する場合、ＷＴＲＵはＳＰ−ＳＳをサポートしてよい。ｇＮＢは、ＷＴＲＵが表示を送ることなくＳＰ−ＳＳをサポートする、ＷＴＲＵの能力の知識を有してよい。ｇＮＢは、事前構成から、またはＷＴＲＵクラスに基づいて、ＷＴＲＵがＳＰ−ＳＳをサポートするかどうかを知ってよい。
【００９０】
ＷＴＲＵは、構成されたＰ−ＳＳ内の制御チャネル（たとえばＰＤＣＣＨ）に対して監視してよい（６２０）。Ｐ−ＳＳは、図５に図示されるように、監視周期性、たとえば４スロット周期性を有してよい。ＷＴＲＵは、いつサーチスペースがアクティブ化されるかまたはアクティブ状態であるかを監視してよい。ＷＴＲＵは、いつサーチスペースが非アクティブ化されるかまたはアクティブ状態にないかまたは非アクティブ化された状態であるかを、サーチスペース内で監視しないことがある。ＷＴＲＵは、構成された周期性および監視シンボルに従って、時間ロケーション内のＰ−ＳＳを監視してよい。
【００９１】
ＷＴＲＵは、ＳＰ−ＳＳをアクティブ化するための情報を受信してよい（６３０）。この情報は、Ｐ−ＳＳ内のＰＤＣＣＨ内で受信されてよい。アクティブ化するＳＰ−ＳＳは、Ｐ−ＳＳと関連づけられてよい。情報は、ＳＰ−ＳＳを非アクティブ化する表示を含んでよい。情報は、複数の関連づけられたＳＰ−ＳＳに関するものであってよい。
【００９２】
ＷＴＲＵは、ＰＤＣＣＨのためのＳＰ−ＳＳを監視してよい（６４０）。ＳＰ−ＳＳは、監視周期性を構成されてよく、この監視周期性は、関連づけられたＰ−ＳＳの監視周期性とは異なってよい。たとえば図５では、Ｐ−ＳＳは４スロット周期性を有し、ＳＰ−ＳＳは１スロット周期性を有する。サーチスペースは、たとえば、ＰＤＣＣＨ内で受信されたＤＣＩ内で、Ｌ１シグナリングを介してアクティブ化または非アクティブ化されてよい。サーチスペースは、たとえばＭＡＣ−ＣＥ内で、Ｌ２シグナリングを介してアクティブ化または非アクティブ化されてよい。ＷＴＲＵは、サーチスペースがアクティブ状態である（たとえば、アクティブ化された）とき、サーチスペースを監視してよい。たとえば、サーチスペースが構成されてよく、ＷＴＲＵは、ＷＴＲＵがサーチスペースのためのアクティブ化（たとえば、アクティブ化表示またはアクティブ化信号）を受信したとき、サーチスペースを監視してよい。Ｐ−ＳＳ内で受信された情報がＳＰ−ＳＳのアクティブ化を示す場合、ＷＴＲＵは、ＳＰ−ＳＳ内のＰＤＣＣＨに関して監視してよい。ＷＴＲＵは、受信された構成情報に基づいて、ＳＰ−ＳＳ内で監視してよい。ＳＰ−ＳＳがアクティブ化されるとき、ＷＴＲＵは、関連づけられたＰ−ＳＳを監視することをスキップすることがある。ＷＴＲＵは、ブラインド復号化複雑さまたはチャネル推定のためのＣＣＥの数がしきい値（たとえば、ＷＴＲＵ能力）よりも高い場合、関連づけられたＰ−ＳＳを監視することをスキップすることがある。Ｐ−ＳＳ内で受信された情報がＳＰ−ＳＳの非アクティブ化を示すという条件で、ＷＴＲＵは、ＳＰ−ＳＳ内で監視するのを停止することがある。
【００９３】
ＳＰ−ＳＳは、たとえば、ＤＣＩ、ＭＡＣ−ＣＥ、あらかじめ決定されたシーケンスもしくはプリアンブル、ＰＤＳＣＨのＣＲＣを用いてスクランブルされたビットシーケンス、またはＰＤＳＣＨのＤＭ−ＲＳシーケンスに基づいて、スロット＃ｎからアクティブ化および／または非アクティブ化されてよい。
【００９４】
スロット＃ｎ−ｘ内で受信されたＤＣＩのケースでは、ＤＣＩは、サーチスペースについてのアクティブ化および／または非アクティブ化情報を含んでよく、ｘは、非負の整数（たとえば、０、１、２、…）であってよい。ＷＴＲＵは、ＷＴＲＵ固有ＰＤＣＣＨまたはグループ共通ＰＤＣＣＨに基づき得るＰ−ＳＳ内のＳＰ−ＳＳアクティブ化（および／または非アクティブ化）のためのＤＣＩを監視または受信してよい。グループ共通ＰＤＣＣＨは、ＷＴＲＵのグループによって共有されてよい。１つまたは複数の無線ネットワーク一時識別子（ＲＮＴＩ）は、Ｐ−ＳＳ内のＤＣＩに使用されてよい。第１のＲＮＴＩが、スロット＃ｎ−ｘにおいてＤＣＩのＣＲＣをスクランブルするために使用される場合、関連づけられたＳＰ−ＳＳは、スロット＃ｎにおいてアクティブ化されてよく、ＳＰ−ＳＳは、それが非アクティブ化されるまでアクティブ状態であってよい。第２のＲＮＴＩが、ＤＣＩのＣＲＣをスクランブルするために使用される場合、関連づけられたＳＰ−ＳＳは、現在の状態（たとえば、非アクティブまたはアクティブ）を保ってよい。第２のＲＮＴＩが、ＤＣＩのＣＲＣをスクランブルするために使用される場合、関連づけられたＳＰ−ＳＳは非アクティブ化されてよい。本明細書においてＳＰ−ＳＳのアクティブ化に使用されるＤＣＩは、ＰＤＳＣＨまたはＰＵＳＣＨをスケジュールするためにも使用されてよい。ｘ値は、ＤＣＩ内で示されてよい。
【００９５】
ｘが非負の整数であってよいスロット＃ｎ−ｘにおいて受信されるＭＡＣ−ＣＥのケースでは、ＭＡＣ−ＣＥは、１つまたは複数のＳＰ−ＳＳのためのアクティブ化および／または非アクティブ化メッセージを含んでよい。ｘ値は、ＭＡＣ−ＣＥを搬送するＰＤＣＣＨのＨＡＲＱ−ＡＣＫタイミングに基づいて決定されてよい。ｘ値は、ＭＡＣ−ＣＥ内で示されてよい。
【００９６】
ＷＴＲＵが、スロット＃ｎ−ｘにおいてシーケンスまたはプリアンブルを受信した場合、ＳＰ−ＳＳは、スロット＃ｎからアクティブ化され、それが非アクティブ化されるまでアクティブ状態を保ってよい。シーケンスまたはプリアンブルは、ＷＵＳであってよい。ＷＵＳは、ＳＰ−ＳＳのために構成または使用されてよい。サーチスペースがＰ−ＳＳである場合、ウェイクアップは使用されないことがあり、サーチスペースは、構成されたスロット内で監視されてよい。ＷＵＳは、サーチスペースごとに構成されてよい。
【００９７】
ＰＤＳＣＨのＣＲＣとともにスクランブルされたビットシーケンスのケースでは、ＰＤＳＣＨは、たとえばスロット＃ｎ−ｘにおいてスケジュールされてよい。ＰＤＳＣＨのＣＲＣが固有ビットシーケンスとともにスクランブルされた場合、関連づけられたＳＰ−ＳＳは、スロット＃ｎにおいてアクティブ化されてよく、ＰＤＳＣＨは、Ｐ−ＳＳによってスケジュールされてよい。スクランブルするための１つまたは複数のビットシーケンスが使用されることがある。ＷＴＲＵが第１のビットシーケンスを受信した場合、関連づけられたＳＰ−ＳＳは、現在の状態（たとえば、アクティブまたは非アクティブ）を保ってよい。ＷＴＲＵが第２のビットシーケンスを受信した場合、関連づけられたＳＰ−ＳＳは、スロット＃ｎにおいてアクティブ化されてよい。例では、第１のビットシーケンスはすべてゼロであってよく、第２のビットシーケンスは、１つのビットを除いてすべて１またはすべてゼロであってよい。ＰＤＳＣＨが複数のコードブロック（codeblock）またはコードブロックグループを含む場合、すべてのコードブロックまたはコードブロックグループのＣＲＣは、ビットシーケンスとともにスクランブルされてよい。第１のもしくは最後のコードブロックまたはコードブロックグループのＣＲＣは、ビットシーケンスとともにスクランブルされてよい。
【００９８】
ＰＤＳＣＨのＤＭ−ＲＳシーケンスのケースでは、ＤＭ−ＲＳシーケンスは、固有アイデンティティとともにスクランブルされてよい。たとえば、ＰＤＳＣＨは、スロット＃ｎ−ｘにおいてスケジュールされてよく、ＤＭ−ＲＳが第１のアイデンティティとともにスクランブルされる場合、関連づけられたＳＰ−ＳＳは、現在の状態（たとえば、アクティブまたは非アクティブ）を保ってよい。ＤＭ−ＲＳが、第２のアイデンティティとともにスクランブルされる場合、関連づけられたＳＰ−ＳＳは、スロット＃ｎにおいてアクティブ化されてよい。ＤＭ−ＲＳスクランブリング識別（ＩＤ）は、関連づけられたＳＰ−ＳＳのアクティブ化を決定することがある。ＤＭ−ＲＳスクランブリングＩＤは、スクランブリングシーケンス初期化に使用されてよい。
【００９９】
ＷＴＲＵは、ＳＰ−ＳＳ内のＰＤＣＣＨを受信してよい（６５０）。ＷＴＲＵは、受信されたＰＤＣＣＨ内のリソース割り当てに基づいてＰＤＳＣＨを受信してよい。たとえば、ＷＴＲＵは、図５に図示されるように、スロットｓ＋５、ｓ＋６、ｓ＋７、ｓ＋８、ｓ＋９、およびｓ＋１０においてＰＤＳＣＨバーストを受信してよい。
【０１００】
ＷＴＲＵは、ＳＰ−ＳＳの非アクティブ化に基づいてＳＰ−ＳＳを監視するのを停止してよい（６６０）。アクティブＳＰ−ＳＳは、タイマまたは時間ウィンドウに基づいて非アクティブ化されてよい。タイマは、ＳＰ−ＳＳがアクティブ化されたスロットから始まってよい。ＷＴＲＵは、関連づけられたタイマが稼働中である場合、ＳＰ−ＳＳを監視してよい。タイマが停止した場合、ＷＴＲＵは、ＳＰ−ＳＳを監視するのを停止してよい。ＷＴＲＵが、Ｋ個のスロット（または連続したＫ個のスロット）内のＷＴＲＵのためにスケジュールされたＤＣＩを検出しない場合、タイマは停止してよい。ＷＴＲＵが帯域幅部分（ＢＷＰ）を切り換える必要がある場合、タイマは停止してよい。あらかじめ定義されたまたは構成された時間ウィンドウを過ぎた場合、タイマは停止してよい。時間ウィンドウは、ＳＰ−ＳＳがアクティブ化されたスロットから始まってよい。アップリンクバッファなどのバッファが空である場合、タイマは停止してよい。ＷＴＲＵがタイマ満了コマンドを受信した場合、タイマは停止してよい。タイマ満了コマンドは、ｇＮＢから受信され得る。時間ウィンドウは、報告されたバッファサイズに基づいて決定されてよい。たとえば、報告されたバッファサイズが第１のしきい値よりも大きい場合は、第１の時間ウィンドウサイズが使用されてよく、報告されたバッファサイズが第２のしきい値よりも大きい場合は、第２の時間ウィンドウサイズが使用されてよい。アクティブＳＰ−ＳＳは、ＷＴＲＵが非アクティブ化信号を受信した場合、非アクティブ化されてよい。非アクティブ化信号は、ｇＮＢから受信され得る。非アクティブ化信号は、ゴートゥースリープ（ＧＯＳ）信号であってよい。アクティブＳＰ−ＳＳは、アクティブ化信号から示されたスロットの数の後、非アクティブ化されてよい。たとえば、アクティブ化信号は、ＳＰ−ＳＳがアクティブである時間長さを含んでよく、この時間長さはスロットの数に基づいてよい。１つまたは複数の時間長さ値は、あらかじめ決定されてもよいし、あらかじめ定義されてもよいし、構成されてもよいし、使用されてもよく、１つの時間長さ値は、アクティブ化信号内に示されてよい。
【０１０１】
ＳＰ−ＳＳの時間ロケーションは、上位レイヤ構成に基づいてあらかじめ決定されてよい。ＳＰ−ＳＳのアクティブ化時間は、ＳＰ−ＳＳの時間ロケーションを変更しないことがある。ＷＴＲＵは、それがあらかじめ決定されたロケーションにおいてアクティブであるとき、ＳＰ−ＳＳを監視してよい。
【０１０２】
アクティブ化表示は、ＷＴＲＵがＳＰ−ＳＳを監視する必要があるかどうかを決定し得る。ＳＰ−ＳＳの時間ロケーションは、アクティブ化時間に基づいて決定されてよい。たとえば、スロット内のＳＰ−ＳＳおよび監視シンボルの周期性は、あらかじめ構成されよいが、開始オフセットは、ＷＴＲＵがアクティブ化表示を受信するまたはＳＰ−ＳＳがアクティブ化される時間ロケーションに基づいて決定されてよい。
【０１０３】
ＳＰ−ＳＳおよびその関連づけられたＰ−ＳＳは、異なるＢＷＰ内に配置または構成されてよい。ＳＰ−ＳＳがアクティブ化された場合、関連づけられたＰ−ＳＳは、ＷＴＲＵによって監視されないことがあり、ＷＴＲＵは、ＳＰ−ＳＳのために構成されたＢＷＰに切り換えてよい。ＳＰ−ＳＳが非アクティブ化された場合、ＷＴＲＵは、関連づけられたＰ−ＳＳのためのＢＷＰに再び切り換わってよい。たとえば、第１のＢＷＰは、Ｐ−ＳＳとともに構成されてよく、第２のＢＷＰは、関連づけられたＳＰ−ＳＳとともに構成されてよい。Ｐ−ＳＳは、異なるＢＷＰ内に配置されてよい関連づけられたＳＰ−ＳＳをアクティブ化／非アクティブ化し得る。ＷＴＲＵが、複数のＢＷＰを同時に受信する能力を有する場合、関連づけられたＰ−ＳＳとＳＰ−ＳＳの両方がＷＴＲＵによって監視されてよい。
【０１０４】
Ｐ−ＳＳ周期性、または関連づけられたＰ−ＳＳ周期性がしきい値よりも大きいとき、ＳＰ−ＳＳが、使用されてもよいし、使用されることが許可されてよい。たとえば、ＷＴＲＵは、その関連づけられたＰ−ＳＳ周期性がしきい値よりも大きい場合、ＳＰ−ＳＳのためのアクティブ化信号に関して監視してよい。ＳＰ−ＳＳの周期性は、関連づけられたＰ−ＳＳのそれよりも長くてよい。ＷＴＲＵは、その関連づけられたＰ−ＳＳ周期性がしきい値よりも短い場合、ＳＰ−ＳＳのためのアクティブ化信号を監視することをスキップしてよい。
【０１０５】
ＳＰ−ＳＳは、ダウンリンク、アップリンク、または両方のためにアクティブ化／非アクティブ化されてよい。たとえば、ＳＰ−ＳＳが、ダウンリンク（ＤＬ）トラフィックまたはダウンリンク送信のためにアクティブ化される場合、ＷＴＲＵは、ＳＰ−ＳＳ内のＤＬ  ＤＣＩフォーマットに関して監視してよい。ＳＰ−ＳＳが、アップリンク（ＵＬ）トラフィックまたはアップリンク送信のためにアクティブ化された場合、ＷＴＲＵは、ＳＰ−ＳＳ内のＵＬ  ＤＣＩフォーマットに関して監視してよい。ＷＴＲＵが、ＳＰ−ＳＳを監視するためにＤＲＸ動作中のアクティブ時間内にあるとき、ＷＴＲＵは、ＳＰ−ＳＳがダウンリンク送信のためにアクティブ化された場合、ＤＬ測定（たとえば、ＲＲＭ、ＲＬＭ、ＣＳＩ）を実行してよい。ＳＰ−ＳＳが、ＤＬ送信のためにアクティブ化されないまたはＵＬ送信のみのためにアクティブ化された場合、ＷＴＲＵは、ＤＬ測定を実行することをスキップしてよい、および／または周期的測定（たとえば、周期的ＣＳＩ）を報告することをスキップしてよい。ＷＴＲＵが、ＤＲＸ動作中のアクティブ時間内にあり、ＷＴＲＵが、ＵＬ送信（たとえば、ＵＬ送信のみのための）のためのＳＰ−ＳＳに関して監視する場合、ＷＴＲＵは、周期的測定（たとえば、周期的ＣＳＩ）を報告することをスキップしてよい。
【０１０６】
ＤＲＸ動作の場合、非アクティビティタイマまたは再送信タイマは、Ｐ−ＳＳに対して適用されてよい。ＷＴＲＵは、ＤＲＸステータスとは無関係にアクティブ化された場合、たとえばＯＦＦデュレーションにおけるときでさえ、ＳＰ−ＳＳを監視する必要があることがある。ＳＰ−ＳＳステータス（たとえば、アクティブ）は、ＤＲＸステータス（たとえば、ＯＦＦデュレーション）に優先してよい。ＳＰ−ＳＳが非アクティブである場合、ＷＴＲＵは、ＤＲＸステータス（たとえば、ＯＮデュレーションまたはＯＦＦデュレーション）を追跡してよい。ＳＰ−ＳＳの監視は、非アクティビティタイマまたは再送信タイマを増加させないことがある。構成されるＤＲＸパラメータまたは動作は、ＳＰ−ＳＳに適用しないことがある。
【０１０７】
ＷＴＲＵは、Ｐ−ＳＳのための更新された構成を受信してよい（６７０）。この更新された構成は、更新された周期性を含んでよい。この更新された構成は、Ｐ−ＳＳの中のＰＤＣＣＨにおけるＤＣＩにおいて受信されてよい。たとえば、ＷＴＲＵは、図５ではスロットｓ＋１２においてＰ−ＳＳのための更新された周期性を受信してよい。ＷＴＲＵは、更新された周期性に基づいてＰ−ＳＳを監視してよい（６８０）。たとえば、ＷＴＲＵは、更新されたＰ−ＳＳ周期性に基づいて、スロットｓ＋１４、ｓ＋１６などにおいてＰ−ＳＳを監視してよい。
【０１０８】
Ｐ−ＳＳおよび／またはＳＰ−ＳＳの周期性は、動的に変更されてよい。サーチスペース周期性は、動的な表示を用いて変更されてよい。サーチスペース周期性は、ＲＲＣ再構成を用いてまたは用いずに変更されてよい。サーチスペース監視周期性は、たとえば、バーストトラフィックが到着したとき、短縮されてよい。サーチスペース監視周期性は、たとえば、データバッファが空であるとき、増加されてよい。周期性変更は、ＤＣＩなどにおけるＬ１および／またはＭＡＣ−ＣＥなどにおけるＬ２シグナリングを介して示されてよい。
【０１０９】
１つまたは複数の周期性値は、サーチスペースのために構成されてよい。デフォルト周期性は、最小周期性値に基づいて決定されてよい。デフォルト周期性は、最大周期性値に基づいて決定されてよい。デフォルト周期性は、構成された周期性のセット内の第１の周期性に基づいて決定されてよい。最小周期性値または最大周期性値が、デフォルト周期性として使用されてよい。構成された周期性のセット内の第１の周期性も、デフォルト周期性として使用されてよい。
【０１１０】
１つまたは複数の周期性値は、たとえば、ＲＲＣシグナリングを介して、構成されてよい。単一の周期性値が構成された場合、サーチスペースのための周期性は、その構成された値であってよい。複数の周期性値が構成された場合、構成された周期性値の１つが示されてよい。ＷＴＲＵは、たとえばＤＣＩにおけるＬ１シグナリングおよび／またはたとえばＭＡＣ−ＣＥにおけるＬ２シグナリングを介して、表示を受信してよい。ＷＴＲＵは、たとえば表示を受信した後、示された周期性を使用してよい。ＷＴＲＵは、たとえば表示を受信した後、構成された時間、示された時間、または既知の時間の、示された周期性を使用してよい。ＷＴＲＵは、ＷＴＲＵが、Ｌ１および／またはＬ２シグナリングからの周期性値の表示の受信の前に複数の周期性値とともに構成される場合、デフォルト値も使用してよい。
【０１１１】
周期性または周期性変更が、たとえば、Ｌ１シグナリングまたはＬ２シグナリングを介して、示された場合、示された周期性または更新された周期性は、時間ウィンドウ中は有効であってよい。たとえば、ＷＴＲＵが、サーチスペースのための周期性または更新された周期性を受信したとき、ＷＴＲＵは、示された周期性を使用して時間ウィンドウ中のサーチスペースを監視し、時間ウィンドウの前および／または後で、以前に構成された周期性、以前に示された周期性、またはデフォルト周期性を使用してもよいし、これに再び切り換えてもよい。時間ウィンドウは、上位レイヤ構成に基づいて決定されてよい。時間ウィンドウは、非アクティビティタイマなどのタイマに基づいて決定されてよい。上位レイヤ構成のケースでは、ＷＴＲＵは、時間ウィンドウの後でサーチスペースを監視するために、構成された周期性またはデフォルト周期性を使用してもよいし、これに再び切り換えてもよい。非アクティビティタイマなどのタイマのケースでは、ＷＴＲＵが、示された周期性または更新された周期性を使用するときにＫ個のスロット（たとえば、Ｋ個の連続スロット）中にＤＣＩを受信しない場合、ＷＴＲＵは、タイマ（たとえば、非アクティビティタイマ）が満了したと考えてよく、構成された周期性またはデフォルト周期性を使用してもよいし、これに再び切り換えてもよい。
【０１１２】
１つまたは複数の周期性値をもつサーチスペースの時間ロケーションは、サーチスペースの構成情報に基づいて決定されてよい。周期性値が示されるまたは更新されるとき、ＷＴＲＵは、周期性表示または更新が受信されたスロットからｘ個のスロットの後、示された周期性値または更新された周期性値と関連づけられた時間ロケーションを監視してよい。たとえば、ｘ値は、固定値（たとえば、４）にあらかじめ定義されてよい。ｘ値は、非負の整数値であってよい。ｘ値は、ニューメロロジーに基づいて決定されてよい。Ｘは、たとえばＲＲＣによって構成された、構成された値であってよい。ｘ値は、たとえば、ＤＣＩまたはＭＡＣ−ＣＥによって、動的に示されてよい。ｘ値は、周期性を変更または更新する表示とともに含まれてよい。
【０１１３】
サーチスペースの周期性は、固有ＨＡＲＱプロセス番号、送信された否定ＨＡＲＱ−ＡＣＫの数、スロットフォーマットインジケータから示されたスロット構成、またはスケジューリング要求後の第１のアップリンクグラントなどの情報に基づいて、決定または更新されてよい。
【０１１４】
固有ＨＡＲＱプロセス番号のケースでは、ＷＴＲＵは、固有ＨＡＲＱプロセス番号をもつダウンリンクグラントまたはアップリンクグラントを受信することがある。たとえば、ＷＴＲＵが、ＨＡＲＱプロセス番号Ｎ（たとえば、＃１６）をもつＰＤＳＣＨを受信した場合、ＷＴＲＵは、更新された周期性をもつサーチスペースを監視することがある。ｇＮＢは、サーチスペースの周期性を変更するためにＨＡＲＱプロセス番号を決定してよい。たとえば、ＨＡＲＱプロセス番号の第１のセット（たとえば０〜３）は、第１のサーチスペース周期性と関連づけられてよく、ＨＡＲＱプロセス番号の第２のセット（たとえば４〜７）は、第２のサーチスペース周期性と関連づけられてよい。ＷＴＲＵは、たとえば最新ＰＤＳＣＨまたはＰＵＳＣＨのための、受信されたＨＡＲＱプロセス番号に基づいて、サーチスペースの周期性を決定してよい。
【０１１５】
スロット構成のケースでは、第１のスロット構成は、サーチスペースの第１の周期性値と関連づけられてよく、第２のスロット構成は、サーチスペースの第２の周期性値と関連づけられてよい。
【０１１６】
スケジューリング要求後の第１のアップリンクグラントのケースでは、サーチスペースのための第１の監視周期性は、スケジューリング要求が送信された後、第１のアップリンクグラントの受信の前に、アップリンクグラントのための監視に使用されてよい。サーチスペースのための第２の監視周期性は、ＷＴＲＵが、第１のアップリンクグラントによってスケジュールされたアップリンク送信のためのＨＡＲＱ−ＡＣＫを受信した場合に、使用されてよい。ＨＡＲＱ−ＡＣＫは、（たとえば、トグルされた新規データインジケータをもつまたはもたない）同じＨＡＲＱプロセス番号をもつアップリンクグラントであってよい。ＷＴＲＵが、スロット＃ｎ−ｘにおいてアップリンク送信のためのＨＡＲＱ−ＡＣＫを受信した場合、サーチスペースのための第２の監視周期性は、スロット＃ｎから使用されてよい。サーチスペースのための第２の監視周期性は、第１のアップリンクグラントが監視周期性変更または更新の表示を含む場合に使用されてよい。表示は、ＲＮＴＩに基づいてよい。サーチスペースのための第１の監視周期性は、スケジューリング要求が送信された後、監視周期性変更コマンドが受信されるまで、アップリンクグラントを監視するために使用されてよい。
【０１１７】
サーチスペースのためのスロット内の監視シンボルは、Ｌ１シグナリングおよび／またはＬ２シグナリングを介して動的に増加または減少されてよい。スロット内の異なるシンボル内のサーチスペースは、異なるスロット内のＰＤＳＣＨをスケジュールしてよい。ＰＤＳＣＨは、ロングＰＤＳＣＨ（たとえば、ＰＤＳＣＨタイプＡ）であってもよいし、ショートＰＤＳＣＨ（たとえば、ＰＤＳＣＨタイプＢ）であってもよい。
【０１１８】
サーチスペースは、ＤＣＩによって監視されるために、トリガ、スケジュール、または示されてよい。サーチスペースは、ＤＣＩが送信されるスロットの後の、トリガまたはスケジュールされたＸ個のスロットまたはＹ個のＯＦＤＭシンボルであってよい。ＤＣＩは、１つまたは複数のサーチスペースをスケジュールしてよい。１つまたは複数のサーチスペースをトリガし得るＤＣＩは、本明細書では、トリガリングＤＣＩ、参照ＤＣＩ、または第１のＤＣＩと呼ばれることがある。
【０１１９】
第１のＤＣＩは、複数の非周期的サーチスペース（Ａ−ＳＳ）または非周期的監視機会をトリガしてよい。第１のＤＣＩは、Ａ−ＳＳもしくは監視機会の数、開始スロット、サーチスペース間の間隙（たとえば、等しいスペース）、Ａ−ＳＳのアグリゲーションレベル、および／またはＲＥＧバンドルサイズを含んでよい。
【０１２０】
図７は、複数のＡ−ＳＳをトリガする第１のＤＣＩの例を図示する。第１のＤＣＩは、図７におけるＡ−ＳＳ1、Ａ−ＳＳ2、およびＡ−ＳＳ3などの３つのサーチスペース（または３つの監視機会）をスケジュールしてよい。連続したスケジュールされた／トリガされたサーチスペース間のスペーシングは、ｍ個のスロットで等しく離隔されてよく、第１のトリガされたまたはスケジュールされたサーチスペースとＤＣＩが送信されたスロットとの間のスペーシングは、ｎ個のスロットであってよい。ｎ＝ｍであってよい。図７の例では、Ａ−ＳＳの数＝３であり、開始スロット＝スロットｓ０＋ｎであり、等しいスペースである、サーチスペース間の間隙はｍである。２つの監視機会間のスロットまたはシンボルの数に関するスペーシングは、互いとは異なってよい。
【０１２１】
第１のＤＣＩのオーバヘッドは、トリガされるサーチスペースが時間的に２つの連続Ｐ−ＳＳ間に配置された場合、低下され得る。例として、図７では、ＤＣＩと次の周期的サーチスペースとの間のスペーシングは、１０個のスロットである。スケジュールされるサーチスペースは、これらの１０個のスロットのうちいくつかの上に配置されてよい。開始スロットと、Ａ−ＳＳの数またはＡ−ＳＳ間の間隙のどちらかが与えられる場合、ＷＴＲＵは、スケジュールされるサーチスペースのロケーションを決定し得る。第１のＤＣＩのオーバヘッドは、ｎ＝ｍである場合、さらに低下されてよい。この例では、ＤＣＩは、Ａ−ＳＳの数を示してよく、それらのサーチスペースのロケーションは、最後のサーチスペースとＤＣＩが送信されたスロットとの間に均等なスペーシングがあるように選択されてよい。
【０１２２】
第１のＤＣＩは、１つまたは複数のサーチスペースをトリガしてよく、また、ＰＤＳＣＨまたはＰＵＳＣＨをスケジュールしてよい。ＷＴＲＵは、Ｐ−ＳＳ内で第１のＤＣＩを受信することがあり、ＷＴＲＵは、トリガされたＡ−ＳＳ内で第２のＤＣＩを受信することがある。第１のＤＣＩは、Ａ−ＳＳをトリガするため、およびＰＵＳＣＨまたはＰＤＳＣＨのスケジューリングのための情報を含んでよい。第２のＤＣＩは、ＰＵＳＣＨまたはＰＤＳＣＨのスケジューリング情報を含んでよい。第１のＤＣＩと第２のＤＣＩとは同じＤＣＩフォーマットであってよいが、内容は異なってよい。第１のＤＣＩのためのＤＣＩサイズと第２のＤＣＩのためのＤＣＩサイズとは異なってよい。Ａ−ＳＳのための関連づけられたＣＯＲＥＳＥＴは、ＷＴＲＵが第１のＤＣＩを受信し得るＰ−ＳＳのそれと同じであってよい。
【０１２３】
第１のＤＣＩは、ＷＴＲＵがサーチスペースを監視する必要があることがある時間ウィンドウ内のスロットを決定し得るパターンを用いて、１つまたは複数のサーチスペースをトリガしてよい。時間ウィンドウは、上位レイヤシグナリングを介して構成されてよい。時間ウィンドウは、関連づけられたＰ−ＳＳの周期性に基づいて決定されてよい。たとえば、関連づけられたＰ−ＳＳの周期性がｘである場合、時間ウィンドウはｘであってよい。パターンは、Ａ−ＳＳのための時間ウィンドウ内のスロットを示し得るビットマップであってよい。ビットマップでは、各ビットは、１つまたは複数のスロットと関連づけられてよい。ビットマップ内のビットが、値たとえば「１」を示す場合、ＷＴＲＵは、関連づけられたスロット内のサーチスペースを監視する必要があることがある。ビットマップ内のビットが、異なる値たとえば「０」を示す場合、ＷＴＲＵは、関連づけられたスロット内のサーチスペースを監視することをスキップすることがある。１つまたは複数のパターンが使用され、ＣＲＣを用いてスクランブルされ得るその関連づけられたＲＮＴＩによって示されてよい。１つまたは複数のＲＮＴＩが使用されてよく、各ＲＮＴＩは、パターンと関連づけられてよい。
【０１２４】
第１のＤＣＩは、ＤＣＩスロットと後続のＰ−ＳＳとの間だけでなく、Ｐ−ＳＳの複数の期間にわたっても、サーチスペースをスケジュールすることがある。たとえば、ＤＣＩは、周期性は１０スロットであり、ＤＣＩはスロット０上で送信されると仮定して、スロット［０〜９］、［１０〜１９］、［２０〜２９］などの間のサーチスペースをスケジュールすることがある。第１のＤＣＩは、追加のサーチスペースがスケジュールされる期間の数も示してよい。
【０１２５】
ＤＣＩを受信するＷＴＲＵは、スケジュールされるサーチスペースおよび／または周期的サーチスペース中に制御チャネル（たとえばＰＤＣＣＨ）のブラインド復号化を実行することが予想されてよい。
【０１２６】
ＤＣＩは、単一のＡ−ＳＳをトリガしてよい。ＤＣＩは、後続のＡ−ＳＳの存在／不在を示し得る。ＤＣＩは、現在のサーチスペースからの時間オフセットを示し得る。ＤＣＩは、Ａ−ＳＳのアグリゲーションレベルを示し得る。ＤＣＩは、Ａ−ＳＳのＲＥＧバンドルサイズを示し得る。
【０１２７】
図８は、単一のＡ−ＳＳをトリガするＤＣＩの例を図示する。ＤＣＩが第１のＡ−ＳＳ内で送信された場合、このＤＣＩは、第２のＡ−ＳＳをトリガしてよい。ＤＣＩが第２のＡ−ＳＳ内で送信された場合、このＤＣＩは第３のＡ−ＳＳをトリガしてよく、以下同様である。ＤＣＩがＡ−ＳＳ内で検出されない場合、ＷＴＲＵは、Ａ−ＳＳのブラインド検出を実行せず、Ｐ−ＳＳのブラインド復号化のみを実行してよい。
【０１２８】
ＤＣＩは、Ａ−ＳＳをトリガしてよい。Ａ−ＳＳは、ＤＣＩが受信されたサーチスペースをもつ同じＣＯＲＥＳＥＴと関連づけられてよい。単一のビットフィールドが、Ａ−ＳＳの存在／不在を示してよい。Ａ−ＳＳの時間ロケーションのためのスロット／シンボルオフセットは、あらかじめ決定されてもよいし、あらかじめ構成されてもよい。ＲＮＴＩは、Ａ−ＳＳの存在／不在を示してよい。
【０１２９】
図９は、単一のＡ−ＳＳをトリガするＤＣＩの例示的な方法を図示する。ＷＴＲＵは、Ｐ−ＳＳの中のＰＤＣＣＨにおける第１のＤＣＩを受信してよい（９１０）。この第１のＤＣＩは、Ａ−ＳＳ1をスケジュールしてよい。ＷＴＲＵは、第１のＤＣＩに基づいて、ＰＤＣＣＨのためのスケジュールされたＡ−ＳＳ1を監視してよい（９２０）。ＷＴＲＵは、Ａ−ＳＳ1の中のＰＤＣＣＨにおける第２のＤＣＩを受信してよい（９３０）。第２のＤＣＩは、Ａ−ＳＳ2をスケジュールしてよい。ＷＴＲＵは、第２のＤＣＩに基づいて、ＰＤＣＣＨのためのスケジュールされたＡ−ＳＳ2を監視してよい（９４０）。
【０１３０】
図１０は、単一のＤＣＩがバースト全体のための必要とされるスケジューリング情報のすべてまたはいくらかを搬送し得るＰＤＳＣＨバースト送信の例を示す。ＰＤＳＣＨバーストは、ＷＴＲＵアクティブ時間内のＮBURST個のスロットから構成されてよい（すなわち、ＮBURST≦ＴUE_active）。
【０１３１】
ＷＴＲＵは、単一のＤＣＩバースト（ＳＤＢ）ＰＤＳＣＨ送信のためのサーチスペース内のＤＣＩを監視してもよいし、これを復号することを試みてもよい。バーストＰＤＳＣＨ送信は、１つまたは複数のスロットにわたるＮBURST  ＰＤＳＣＨ送信であってよい。
【０１３２】
バースト内の各ＰＤＳＣＨは、ロングＰＤＳＣＨ（ＰＤＳＣＨタイプＡ）であってもよいし、ショートＰＤＳＣＨ（ＰＤＳＣＨタイプＢ）であってもよい。バーストＰＤＳＣＨ送信内では、すべてのＰＤＳＣＨは、同じＰＤＳＣＨタイプであってよい。バースト内の第１のＰＤＳＣＨのＰＤＳＣＨタイプは、ＰＤＳＣＨ送信の残りのためのＰＤＳＣＨタイプを決定し得る。
【０１３３】
ＷＴＲＵは、たとえば、ＤＣＩフィールド、ＭＡＣ  ＣＥ、またはＲＲＣ構成に動的に基づいて、バースト内のＰＤＳＣＨの数（ＮBURST）および／またはスロットの数を決定してよい。ＷＴＲＵは、たとえば、サーチスペース、サーチスペースの周期性、ＤＣＩのＣＲＣを用いてスクランブルされるＲＮＴＩ、またはＤＣＩ内のビットフィールドに基づいて、ＳＤＢ送信または単一ＤＣＩ単一ＰＤＳＣＨ（ＳＤＳＰ）送信を決定してよい。
【０１３４】
ＷＴＲＵは、サーチスペースとともに構成されてよく、ＰＤＳＣＨ送信方式（たとえば、ＳＤＢまたはＳＤＳＰ）は、サーチスペース構成において示されてよい。バースト内のＰＤＳＣＨの数（ＮBURST）は、サーチスペース構成内にあってよい。ＷＴＲＵが第１のサーチスペース内のＤＣＩを受信した場合、ＷＴＲＵは、送信の第１のタイプ、たとえばＰＤＳＣＨバースト送信を受信してもよいし、これを予想してもよい。ＷＴＲＵが第２のサーチスペース内のＤＣＩを受信した場合、ＷＴＲＵは、送信の第２のタイプ、たとえば単一のＰＤＳＣＨ送信を受信してもよいし、これを予想してもよい。
【０１３５】
サーチスペースの周期性のケースでは、サーチスペースの周期性がしきい値よりも大きい場合、ＷＴＲＵは、送信の第１のタイプ、たとえば、単一のＤＣＩスケジューリングをもつＰＤＳＣＨバースト送信を受信してもよいし、これを予想してもよい。サーチスペースの周期性がしきい値よりも小さい場合、ＷＴＲＵは、送信の第２のタイプ、たとえば、単一のＤＣＩスケジューリングをもつ単一のＰＤＳＣＨ送信を受信してもよいし、これを予想してもよい。これは、ＷＴＲＵが電力節約モードであるおよび／またはバーストトラフィックとともに働かされるときに適用されてよい。バースト内のＰＤＳＣＨの数は、サーチスペースの周期性に基づいて決定されてよい。
【０１３６】
ＤＣＩのＣＲＣを用いてスクランブルされたＲＮＴＩのケースでは、１つまたは複数のＲＮＴＩが使用されてよい。ＷＴＲＵが、ＤＣＩのＣＲＣを用いてスクランブルされ得る第１のＲＮＴＩを受信した場合、ＷＴＲＵは、送信の第１のタイプ、たとえば、ＳＤＢ送信を受信してもよいし、これを予想してもよい。ＷＴＲＵが、ＤＣＩのＣＲＣを用いてスクランブルされ得る第２のＲＮＴＩを受信した場合、ＷＴＲＵは、送信の第２のタイプ、たとえば、ＳＤＳＰ送信を受信してもよいし、これを予想してもよい。第１のＲＮＴＩは、ＳＤＢ−ＲＮＴＩであってよい。第２のＲＮＴＩは、ＳＤＳＰ−ＲＮＴＩであってもよいし、Ｃ−ＲＮＴＩであってもよい。
【０１３７】
ＤＣＩ内のビットフィールドのケースでは、ＤＣＩ内の単一のビットは、それがＳＤＢ送信のためであるかＳＤＳＰ送信のためであるかを示し得る。単一のＤＣＩは、１つまたは複数のＰＤＳＣＨをスケジュールしてよく、ＤＣＩは、１つまたは複数のＰＤＳＣＨのスケジューリング情報を含んでよい。
【０１３８】
ＳＤＢ  ＰＤＳＣＨ送信の場合、ＷＴＲＵは、バースト内のＮBURST  ＰＤＳＣＨ送信すべての復号化のためにＤＣＩ内のリソース割り当て情報フィールドを使用してよい。このリソース割り当て情報は、キャリアＢＷＰ、周波数／時間領域リソース割り当て／マッピング、ＺＰ  ＣＳＩ−ＲＳ、送信ポート、ＴＣＩ、サウンディング要求、参照信号構成、バーストの持続時間に関するＰＵＣＣＨ関連情報を含んでよい。ＷＴＲＵは、ＰＤＳＣＨレートマッチングのための情報要素を受信または復号する必要がないことがある。ＷＴＲＵは、バースト内の残りのスロットのための第１のスロットと類似したレートマッチングを仮定してよい。第１のスロットに続くスロット内のＤＣＩの不在時に、ＷＴＲＵは、第１のスロット内で使用されるＣＯＲＳＥＴがレートＰＤＳＣＨレートマッチングに使用されると仮定してよい。
【０１３９】
ＷＴＲＵは、ＮBURST個のＰＤＳＣＨスロットの復号化のための固定されたＭＣＳ情報を仮定してよい。ＷＴＲＵは、情報要素、たとえばＤＣＩフィールドから動的にＭＣＳを決定してもよいし、ＳＤＢ  ＰＤＳＣＨ動作のための半静的な構成から動的にＭＣＳを決定してもよい。
【０１４０】
電力節約のために、ＷＴＲＵは、次のＷＴＲＵアクティブオン期間内の将来のＰＤＳＣＨ送信との潜在的なソフトな組み合わせのために、そのバッファを維持しないことがある。たとえば、ＳＤＢ  ＰＤＳＣＨモードのＷＴＲＵは、各バーストに対して、新しいデータインジケータ（ＮＤＩ）＝１、および／または冗長バージョンＲＶ＝０を仮定してよい。
【０１４１】
ＷＴＲＵは、以下のうちの単一ＤＣＩベースの１つまたは複数をもつバーストＰＤＳＣＨ送信内の１つまたは複数のＰＤＳＣＨのためのＨＡＲＱプロセス番号を決定してよい。
【０１４２】
ＷＴＲＵは、ＤＣＩを受信し、バースト内のＰＤＳＣＨの各々に対して、ＨＡＲＱプロセス番号としてＮBURST個のインデックスを復号してよい。ＷＴＲＵは、バースト全体のＡＣＫ／ＮＡＣＫ表示のための単一のＰＤＳＣＨ−ＨＡＲＱタイミングを復号してよい。ＷＴＲＵは、決定されたアップリンクスロット内のＮBURST個のＡＣＫ／ＮＡＣＫメッセージを示してよい。ＷＴＲＵは、バースト内の各ＰＤＳＣＨに対応するＡＣＫ／ＮＡＣＫ表示のための複数のＰＤＳＣＨ−ＨＡＲＱタイミングを復号してよい。ＷＴＲＵは、対応する示されたタイミングをもつＮBURST個のＡＣＫ／ＮＡＣＫメッセージを示してよい。
【０１４３】
ＷＴＲＵは、ＤＣＩを受信し、ＰＤＳＣＨバースト全体のための単一のＨＡＲＱプロセス番号を復号してよい。バースト内の各ＰＤＳＣＨは、コードブロックグループ（ＣＢＧ）と考えられるまたは決定されてよく、ＷＴＲＵは、各ＰＤＳＣＨに対するＨＡＲＱ−ＡＣＫ（たとえば、各ＣＢＧに対するＨＡＲＱ−ＡＣＫ）を報告してよい。ＰＤＳＣＨのためのＨＡＲＱ−ＡＣＫビットが、ＰＤＳＣＨバースト送信のためにバンドルされ得る場合、バンドルは、ＨＡＲＱ−ＡＣＫビットの排他的論理和（ＸＯＲ）と呼ばれことがある。バースト内の各ＰＤＳＣＨは、コードワードと考えられるまたは決定されてよく、ＷＴＲＵは、各ＰＤＳＣＨに対するＨＡＲＱ−ＡＣＫをコードワードとして報告してよい。バースト内のＰＤＳＣＨの数がしきい値よりも大きい場合、ＰＤＳＣＨのグループのためのＨＡＲＱ−ＡＣＫビットがバンドルされてよい。ＨＡＲＱ−ＡＣＫバンドリングのためのグループの数は、バースト内のＰＤＳＣＨの数に基づいて決定されてよい。ＨＡＲＱ−ＡＣＫバンドリングのためのグループの数は、ＨＡＲＱ−ＡＣＫ送信のために構成されたアップリンクリソースに基づいて決定されてよい。ＷＴＲＵは、バースト内のすべてのＰＤＳＣＨスロットが適切に復号された場合、ＡＣＫを示してよい。ＷＴＲＵは、次のアクティブ期間にわたって同じバーストの再送信を予想することがある。
【０１４４】
ＷＴＲＵは、次のバースト内の潜在的な組み合わせのために、失敗した送信のためのソフトバッファを維持してよい。次のアクティブ期間では、ＷＴＲＵは、受信されたＤＣＩから、再送信されるバーストが潜在的な組み合わせのために以前のバーストと同じ送信特性を有するかどうかを決定してよい。ＷＴＲＵは、以前のバーストにおいて正常に復号されたスロットを復号することを試みなくてよい。ＨＡＲＱ−ＡＣＫタイミングは、ＰＤＳＣＨバースト送信に使用される最後のスロットに基づいて決定されてもよいし、ＰＤＳＣＨバースト送信に使用される最初のスロットに基づいて決定されてもよい。
【０１４５】
図１１は、ＰＤＳＣＨバースト送信の構成を図示する。単一のＤＣＩは、バースト全体のための必要とされるスケジューリング情報のすべてまたはいくらかを搬送し得る。ＷＴＲＵは、バースト内の各ＰＤＳＣＨのタイミングを決定することが必要とされることがある。ＷＴＲＵは、ＷＴＲＵアクティブ時間内の等しいスペーシングを仮定することによって、バースト内の各ＰＤＳＣＨスロットのタイミングを決定し得る。ＷＴＲＵは、ＤＣＩフィールドから動的にスペーシング情報を決定してもよいし、その半静的な構成を通して動的にスペーシング情報を決定してもよい。
【０１４６】
単一のＤＣＩは、１つまたは複数のＰＤＳＣＨをＰＤＳＣＨバースト送信としてスケジュールしてよく、バースト内のＰＤＳＣＨは、異なるスロット内に配置されてよい。
【０１４７】
ＤＣＩは、開始スロット、たとえばバースト内の第１のＰＤＳＣＨのためのスロットオフセットを示し得る。バースト内のＰＤＳＣＨの残りのためのスロットは、開始スロットからの連続したダウンリンクスロットに基づいて決定されてよい。開始スロットからの連続したダウンリンクスロットは、ＰＤＳＣＨの残りに使用されてよい。ダウンリンクスロットは、しきい値よりも多いダウンリンクシンボルを含み得る有効なダウンリンクスロットであってよい。しきい値は、開始スロット内のダウンリンクシンボルの数に基づいて決定されてよい。しきい値は、あらかじめ決定された値であってよい。バースト内のＰＤＳＣＨの残りのためのスロットは、以前のスロットからのオフセット値に基づいて決定されてよい。オフセット値は、ＰＤＳＣＨバースト送信をスケジュールするためにＤＣＩ内で示されてよい。オフセット値は、上位レイヤシグナリングを介して構成されてよい。
【０１４８】
ＤＣＩは、バースト内の各ＰＤＳＣＨに対する１つまたは複数のスロットオフセットを示してよい。オフセット値の１つまたは複数のセットは、上位レイヤシグナリング（たとえば、ＲＲＣおよび／またはＭＡＣ−ＣＥ）を介して構成されてよく、オフセット値のセットは、ＤＣＩ内で示されてよい。
【０１４９】
Ｃ−ＤＲＸをもつバーストトラフィックの取り扱いが、本明細書において説明される。動的な周期性または半永続的な周期性をもつＳＰ−ＳＳまたはサーチスペースを使用する例が、本明細書において説明される。
【０１５０】
１つまたは複数のＤＲＸタイマ値は、決定されてもよいし、たとえば、ＷＴＲＵが監視し得る１つまたは複数のサーチスペースなどの１つまたは複数のサーチスペースのタイプまたは周期性の関数であってもよい。ＤＲＸタイマとＤＲＸタイマ値とは、本明細書では互換的に使用され得る。
【０１５１】
サーチスペースは、サーチスペースタイプ用であってよいＤＲＸタイマとともに構成されてもよいし、サーチスペースタイプと関連づけられてもよい。たとえば、第１のＤＲＸタイマは、第１のサーチスペースタイプ（たとえばＰ−ＳＳ）のために構成されてよく、第２のＤＲＸタイマは、第２のサーチスペースタイプ（たとえば、ＳＰ−ＳＳ）のために構成されてよい。ＷＴＲＵは、第１のサーチスペースタイプを監視するとき、または（たとえば、ＨＡＲＱプロセスのための）第２のサーチスペースタイプの１つもしくは複数のサーチスペースが構成されない、アクティブでない、アクティブ化されない、または非アクティブ化されるとき、第１のＤＲＸタイマを使用してよい。ＷＴＲＵは、第２のサーチスペースタイプを監視するとき、または第２のサーチスペースタイプがアクティブであるもしくはアクティブ化されたとき、第２のＤＲＸタイマを使用してよい。たとえば、ＷＴＲＵは、第１のタイプのサーチスペース（たとえばＰ−ＳＳ）を使用するときは第１のＤＲＸ  ＵＬ（またはＤＬ）再送信タイマを使用してよく、第２のタイプのサーチスペース（たとえばＳＰ−ＳＳ）を使用するときは第２のＤＲＸ  ＵＬ（またはＤＬ）再送信タイマを使用してよい。
【０１５２】
タイマの使用は、以下のアクション、すなわち、タイマを開始もしくは再開すること、タイマを停止すること、タイマが稼働中であるかどうかに基づいてアクティブ時間（たとえば、ＤＲＸアクティブ時間）を決定すること、タイマが稼働中であるかどうかに基づいてアクションを実行するもしくは判断を下すこと、タイマが満了したかどうかに基づいてアクションを実行するもしくは判断を下すこと、および／またはタイマが稼働中である間ＰＤＣＣＨに関して監視すること、のうちの１つまたは複数を含んでよい。
【０１５３】
例では、１つまたは複数のＤＲＸタイマに関連する１つまたは複数のアクションおよび／または判断は、３ＧＰＰ  ＬＴＥ規格または５Ｇ  ＮＲ規格に従って実行されるアクションおよび／または判断と同じであってもよいし、これに類似してもよい。
【０１５４】
サーチスペースのセットが構成されてよく、ＤＲＸタイマは、サーチスペースのセット内の１つまたは複数のサーチスペースのために構成されてよい。サーチスペースのセット内のサーチスペースがアクティブであるまたはアクティブ化されたとき、サーチスペースと関連づけられたＤＲＸタイマが使用されてもよいし、アクティブ化されてもよい。サーチスペースのセット内のサーチスペースがアクティブ化されたとき、ＷＴＲＵは、デフォルトサーチスペースまたは以前に使用されたサーチスペースと関連づけられたＤＲＸタイマを使用することから、アクティブ化されたサーチスペースと関連づけられたＤＲＸタイマを使用することに切り換えてよい。サーチスペースのセット内のサーチスペースは、周期性と関連づけられてよい。周期性は、サーチスペースのセット内のサーチスペースのために構成されてよい。
【０１５５】
たとえば、第１のＤＲＸタイマは、サーチスペースのセット内の第１のサーチスペースと関連づけられてもよいし、これのために構成されてもよい。第２のＤＲＸタイマは、サーチスペースのセット内の第２のサーチスペースと関連づけられてもよいし、これのために構成されてもよい。ＷＴＲＵは、ｉ）第１のサーチスペースを使用するとき（たとえば、第１のサーチスペースのタイミングまたは周期性に従ってＰＤＣＣＨに関して監視するとき）、ｉｉ）第１のサーチスペースがアクティブであるもしくはアクティブ化されるとき、および／またはｉｉｉ）第１のサーチスペースがデフォルトサーチスペースであり、ＳＰ−ＳＳが構成もしくはアクティブ化されないとき、第１のＤＲＸタイマを使用してよい。ＷＴＲＵは、ｉ）第２のサーチスペースを使用するとき（たとえば、第２のサーチスペースのタイミングまたは周期性に従ってＰＤＣＣＨに関して監視するとき）、および／またはｉｉ）第２のサーチスペースがアクティブであるもしくはアクティブ化されたとき、第２のＤＲＸタイマを使用してよい。ＷＴＲＵは、第２のサーチスペースが非アクティブ化されたとき、第１のＤＲＸタイマを使用することに戻ってよい。
【０１５６】
サーチスペースは、ＨＡＲＱプロセスと関連づけられてよく、および／またはこれのために構成されてよい。本明細書においてサーチスペースまたはサーチスペースのセットに関して説明される例および態様は、ＨＡＲＱプロセスのためのサーチスペースまたはＨＡＲＱプロセスのためのサーチスペースのセットに、たとえば別個に、適用可能であってよい。
【０１５７】
サーチスペース、サーチスペースセット、および／またはＤＲＸタイマ構成は、たとえばｇＮＢから、ＷＴＲＵによって受信されてよい。サーチスペース、サーチスペースセット、ならびに／またはＤＲＸタイマアクティブ化および／もしくは非アクティブ化は、たとえばｇＮＢから、ＷＴＲＵによって受信されてよい。
【０１５８】
サーチスペースは、サーチスペースの周期性と関連づけられたＤＲＸタイマとともに構成されてよい。サーチスペースの周期性がアクティブ化されたとき、周期性と関連づけられたＤＲＸタイマは、使用またはアクティブ化されてよい。
【０１５９】
サーチスペースは、少なくとも、第１の周期性と、第２の周期性とを有してよい。第１の周期性はデフォルト周期性であってよい。第２の周期性は、第１の周期性よりも短くてもよいし、長くてもよい。ＤＲＸタイマは、第１の周期性と関連づけられた第１の値と、第２の周期性と関連づけられた第２の値とを有してよい。第２の値は、第１の値よりも短くてもよいし、長くてもよい。ＷＴＲＵは、第１の周期性を使用するとき、第１のＤＲＸタイマ値を使用してよい。ＷＴＲＵは、第２の周期性を使用するとき、たとえば、第２の周期性がアクティブ化されたとき、第２のＤＲＸタイマ値を使用してよい。ＷＴＲＵは、第２の周期性が非アクティブ化されたとき、第１のタイマ値に戻ってよい。
【０１６０】
ＤＲＸタイマは、複数のサーチスペース周期性などのサーチスペース周期性の関数であってよい。サーチスペースがアクティブ化されたまたはサーチスペースの周期性がアクティブ化されたとき、ＷＴＲＵは、サーチスペース周期性に基づいてＤＲＸタイマ値を決定してよく、決定されたＤＲＸタイマ値を使用してよい。
【０１６１】
サーチスペースを監視するための第１の周期性または第１のサーチスペースの周期性は、ＷＴＲＵが期間にわたってスリープすることを可能にし得る１０個のスロットなどの値Ｔ１（たとえば、１０ｍｓ）を有してよい。第１の周期性または第１のサーチスペースのためのＵＬ（またはＤＬ）のためのＤＲＸ  ＨＡＲＱ  ＲＴＴタイマは、Ｔ−ＲＴＴ１であることがある。第１の周期性または第１のサーチスペースのためのＤＲＸ  ＵＬ（またはＤＬ）再送信タイマは、Ｔ−ＲＴＸ１であることがある。サーチスペースを監視するための第２の周期性または第２のサーチスペースの周期性は、ＷＴＲＵがたとえば、バーストトラフィックをより良く取り扱うために、グラントおよび／またはＨＡＲＱをもつＰＤＣＣＨをより迅速に受信することを可能にし得る、１つのスロットなどの値Ｔ２（たとえば、１ｍｓ）を有してよい。第２の周期性または第２のサーチスペースのためのＵＬ（またはＤＬ）のためのＤＲＸ  ＨＡＲＱ  ＲＴＴタイマは、Ｔ−ＲＴＴ２であることがある。第２の周期性または第２のサーチスペースのためのＤＲＸ  ＵＬ（またはＤＬ）再送信タイマは、Ｔ−ＲＴＸ２であることがある。Ｔ−ＲＴＴ２は、Ｔ−ＲＴＴ１よりも小さくてよい。Ｔ−ＲＴＸ２は、Ｔ−ＲＴＸ１よりも小さくてよい。
【０１６２】
Ｔ−ＲＴＴ１および／またはＴ−ＲＴＸ１は、Ｔ１および／または第１のサーチスペースタイプの少なくとも１つの関数であってよい。Ｔ−ＲＴＴ２および／またはＴ−ＲＴＸ２は、Ｔ１、Ｔ２、Ｔ−ＲＴＴ１、Ｔ−ＲＴＸ１、および／または第２のサーチスペースタイプ、のうちの少なくとも１つの関数であってよい。
【０１６３】
ＷＴＲＵは、第１のサーチスペース周期性または第１のサーチスペースを使用するとき、値または値Ｔ−ＲＴＴ１および／もしくはＴ−ＲＴＸ１をもつタイマを使用してよい。ＷＴＲＵは、第２のサーチスペース周期性または第２のサーチスペースを使用するとき、たとえば、第２の周期性または第２のサーチスペースがアクティブ化されたとき、値Ｔ−ＲＴＴ２および／もしくはＴ−ＲＴＸ２をもつ値またタイマを使用してよい。値または値Ｔ−ＲＴＴ２および／もしくはＴ−ＲＴＸ２をもつタイマを使用することに続いて、ＷＴＲＵは、たとえば、第２のサーチスペース周期性もしくは第２のサーチスペースが非アクティブ化されたとき、または別のサーチスペース周期性もしくはサーチスペースがアクティブ化されたとき、値または値Ｔ−ＲＴＴ１および／もしくはＴ−ＲＴＸ１もしくはＴ−ＲＴＴ３および／もしくはＴ−ＲＴＸ３などの他の値をもつタイマを使用してよい。
【０１６４】
タイマ（たとえば、ＤＲＸタイマ）またはサーチスペースもしくはサーチスペース周期性と関連づけられたタイマ値は、ＷＴＲＵによって構成または決定されてよい。ＷＴＲＵは、ｇＮＢから構成を受信してよい。
【０１６５】
ＷＴＲＵは、ＵＬおよび／またはＤＬのためのＲＴＴタイマまたは再送信タイマなどのＤＲＸタイマを停止する要求または表示を受信してよい。要求または表示は、たとえばＰＤＣＣＨにおけるＤＣＩにおいてＬ１シグナリングを介して受信されてもよいし、たとえばＭＡＣ−ＣＥ内のＬ２シグナリングを介して受信されてもよい。応答して、ＷＴＲＵは、停止が示されたまたは要求された１つまたは複数のＤＲＸタイマを停止してよい。
【０１６６】
停止は、１つまたは複数のＤＲＸタイマタイプ（たとえば、ＵＬ  ＲＴＴ、ＤＬ  ＲＴＴ、ＵＬ  ＲＴＴおよびＤＬ  ＲＴＴ、ＵＬ再送信、ＤＬ再送信、またはＵＬおよびＤＬ再送信）に適用されてよい。停止は、１つまたは複数のＤＲＸタイプのアクティブＤＲＸタイマに適用されてよい。停止は、１つまたは複数のＤＲＸタイプのすべてのＤＲＸタイマに適用されてよい。
【０１６７】
本明細書において説明される例および態様では、Ｐ−ＳＳおよびＳＰ−ＳＳは、サーチスペースタイプの非限定的な例として使用され得る。他の任意のサーチスペースが使用されてよく、本開示に一致してよい。
【０１６８】
特徴および要素が上記で特定の組み合わせで説明されているが、当業者は、各特徴または各要素が単独で使用されてもよいし、他の特徴および要素との任意の組み合わせで使用されてもよいことを諒解するであろう。加えて、本明細書において説明される方法は、コンピュータまたはプロセッサーによる遂行のためのコンピュータ可読媒体に内蔵されたコンピュータプログラム、ソフトウェア、またはファームウェアにおいて実施されてよい。コンピュータ可読媒体の例は、電子信号（ワイヤード接続またはワイヤレス接続を通じて送信される）およびコンピュータ可読記憶媒体を含む。コンピュータ可読記憶媒体の例は、限定するものではないが、読み出し専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ソフトウェアと関連するプロセッサーは、ＷＴＲＵ、ＵＥ、端末、基地局、ＲＮＣ、または任意のホストコンピュータにおいて使用するための無線周波数トランシーバーを実施するために使用されてよい。
【図１Ａ】
2022500962.tif 000003
【図１Ｂ】
2022500962.tif 000004
【図１Ｃ】
2022500962.tif 000005
【図１Ｄ】
2022500962.tif 000006
【図２】
2022500962.tif 000007
【図３】
2022500962.tif 000008
【図４】
2022500962.tif 000009
【図５】
2022500962.tif 000010
【図６】
2022500962.tif 000011
【図７】
2022500962.tif 000012
【図８】
2022500962.tif 000013
【図９】
2022500962.tif 000014
【図１０】
2022500962.tif 000015
【図１１】
2022500962.tif 000016
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
ワイヤレス送信／受信ユニット（ＷＴＲＵ）によって実装される方法であって、
第１のサーチスペースおよび第２のサーチスペースのための構成情報を受信するステップであって、前記構成情報は、前記第１のサーチスペースの監視周期性および前記第２のサーチスペースの監視周期性を含む、ステップと、
前記第１のサーチスペースの前記監視周期性を使って前記第１のサーチスペースを監視するステップと、
前記第１のサーチスペースのスロットにおいて第１の物理ダウンリンク制御チャネル（ＰＤＣＣＨ）における第１のダウンリンク制御情報（ＤＣＩ）を受信するステップであって、前記第１のＤＣＩは、前記第２のサーチスペースのアクティブ化の表示を含む、ステップと、
前記第２のサーチスペースの前記アクティブ化の前記表示に応答して、前記第２のサーチスペースの前記監視周期性を使用して前記第２のサーチスペースを監視するステップと、
前記第２のサーチスペースのスロットにおいて第２のＰＤＣＣＨにおける第２のＤＣＩを受信するステップと
を備える方法。
【請求項２】
前記第１のＰＤＣＣＨにおける前記第１のＤＣＩまたは前記第２のＰＤＣＣＨにおける前記第２のＤＣＩに基づいて物理ダウンリンク共有チャネル（ＰＤＳＣＨ）におけるメッセージを受信するステップをさらに備えることを特徴とする請求項１に記載の方法。
【請求項３】
前記第１のサーチスペースまたは前記第２のサーチスペースの前記監視周期性は、タイムスロット繰り返しを示すことを特徴とする請求項１に記載の方法。
【請求項４】
前記構成情報は、ｇＮＢから受信されることを特徴とする請求項１に記載の方法。
【請求項５】
前記構成情報は、監視オフセットをさらに含むことを特徴とする請求項１に記載の方法。
【請求項６】
前記構成情報は、シンボルパターンを含む監視パターンをさらに含むことを特徴とする請求項１に記載の方法。
【請求項７】
サーチスペース切り換えをサポートする能力の表示を送るステップをさらに備えることを特徴とする請求項１に記載の方法。
【請求項８】
前記第１のサーチスペースの前記監視周期性は、前記第２のサーチスペースの前記監視周期性よりも大きいことを特徴とする請求項１に記載の方法。
【請求項９】
第２のサーチスペース非アクティブ化決定に基づいて、前記第２のサーチスペースを監視する前記ステップを停止するステップと、
前記第１のサーチスペースの前記監視周期性を使って前記第１のサーチスペースを監視するステップと、
第３の制御情報を受信するステップであって、前記第３の制御情報は、前記第１のサーチスペースの更新された監視周期性を含む、ステップと、
前記更新された監視周期性を使って前記第１のサーチスペースを監視するステップと
をさらに備えることを特徴とする請求項１に記載の方法。
【請求項１０】
ワイヤレス送信／受信ユニット（ＷＴＲＵ）であって、
レシーバーと、
プロセッサーと
を備え、
前記レシーバーは、第１のサーチスペースおよび第２のサーチスペースのための構成情報を受信するように構成され、前記構成情報は、前記第１のサーチスペースの監視周期性および前記第２のサーチスペースの監視周期性を含み、
前記プロセッサーは、前記第１のサーチスペースの前記監視周期性を使って前記第１のサーチスペースを監視するように構成され、
前記レシーバーは、前記第１のサーチスペースのスロットにおいて第１の物理ダウンリンク制御チャネル（ＰＤＣＣＨ）における第１のダウンリンク制御情報（ＤＣＩ）を受信するようにさらに構成され、前記第１のＤＣＩは、前記第２のサーチスペースのアクティブ化の表示を含み、
前記プロセッサーは、前記第２のサーチスペースの前記アクティブ化の前記表示に応答して、前記第２のサーチスペースの前記監視周期性を使用して前記第２のサーチスペースを監視するようにさらに構成され、
前記レシーバーは、前記第２のサーチスペースのスロットにおいて第２のＰＤＣＣＨにおける第２のＤＣＩを受信するようにさらに構成される
ことを特徴とするＷＴＲＵ。
【請求項１１】
前記レシーバーは、前記第１のＰＤＣＣＨにおける前記第１のＤＣＩまたは前記第２のＰＤＣＣＨにおける前記第２のＤＣＩに基づいて物理ダウンリンク共有チャネル（ＰＤＳＣＨ）におけるメッセージを受信するように構成されることを特徴とする請求項１０に記載のＷＴＲＵ。
【請求項１２】
前記第１のサーチスペースまたは前記第２のサーチスペースの前記監視周期性は、タイムスロット繰り返しを示すことを特徴とする請求項１０に記載のＷＴＲＵ。
【請求項１３】
前記構成情報は、ｇＮＢから受信されることを特徴とする請求項１０に記載のＷＴＲＵ。
【請求項１４】
前記構成情報は、監視オフセットをさらに含むことを特徴とする請求項１０に記載のＷＴＲＵ。
【請求項１５】
前記構成情報は、シンボルパターンを含む監視パターンをさらに含むことを特徴とする請求項１０に記載のＷＴＲＵ。
【請求項１６】
トランスミッターをさらに備え、前記トランスミッターは、サーチスペース切り換えをサポートする能力の表示を送信するように構成されることを特徴とする請求項１０に記載のＷＴＲＵ。
【請求項１７】
前記第１のサーチスペースの前記監視周期性は、前記第２のサーチスペースの前記監視周期性よりも大きいことを特徴とする請求項１０に記載のＷＴＲＵ。
【請求項１８】
前記プロセッサーは、第２のサーチスペース非アクティブ化決定に基づいて前記第２のサーチスペースを監視することを停止し、前記第１のサーチスペースの前記周期性を使って前記第１のサーチスペースにおいて監視するようにさらに構成され、
前記レシーバーは、第３のＤＣＩを受信するようにさらに構成され、前記第３のＤＣＩは、前記第１のサーチスペースの更新された監視周期性を含み、
前記プロセッサーは、前記更新された監視周期性を使って前記第１のサーチスペースを監視するようにさらに構成される
ことを特徴とする請求項１０に記載のＷＴＲＵ。
【国際調査報告】
2022500962.tif 000017
2022500962.tif 000018
2022500962.tif 000019
2022500962.tif 000020